(57)【要約】      （修正有）【課題】複数の画像を効率よく確認することができ、さらに、確認操作が簡便かつ直感的にできるようにする。【解決手段】タッチスクリーン１８の表示状態がＡの表示状態で、ユーザは、はじめに画像カードCAの群CAGLを指ｆ1で右方向のなぞり操作をする。続いて、ユーザは、画像カードCAの群CAGRを指ｆ2で右方向のなぞり操作をする。このような一連の操作がなされると、最前面の特定の画像カードCAとして配置されていた画像カードCA1は、画像カードCAの群CAGRに移動し、Ｂに示されるように、画像カードCA1の次に配置されていた画像カードCA2が、最前面の特定の画像カードCAとして配置される。そして、特定の画像カードCA2に対応付けられた画像P2が表示される。本発明は、例えば撮像装置に適用することができる。【選択図】図１４
2010055454.tif 000002
【特許請求の範囲】
【請求項１】
画像を表示する表示手段と、
ユーザの操作入力を受け付ける操作入力受付け手段と、
実際のカードを模したオブジェクトとしての画像カードに画像を対応付け、複数の前記画像カードを重ねた様子を示す確認画像を前記表示手段に表示させ、前記複数の画像カードのうち特定の画像カードを確認する指示を示す確認操作が前記操作入力受付け手段により受け付けられた場合、前記特定の画像カードに対応付けられた画像またはその画像を示す情報を、前記特定の画像カードの少なくとも一部の領域に表示させる表示制御を行う表示制御手段と
を備える情報処理装置。
【請求項２】
前記表示制御手段は、前記複数の画像カードを重ねた様子を示す画像として、前記複数の画像カードを束ねた様子を示す画像、または、前記複数の画像カードを扇形に重ねた様子を示す画像を表示させる
請求項１に記載の情報処理装置。
【請求項３】
ユーザが指を前記表示手段に接触させたまま所定方向に所定距離だけ動かす操作をなぞり操作として、前記複数の画像カードの重なり部分に対する前記なぞり操作が前記確認操作として採用されている
請求項２に記載の情報処理装置。
【請求項４】
前記表示制御手段は、
前記ユーザの１本の指による前記なぞり操作の停止が前記操作入力受付け手段により受け付けられたときに前記１本の指が接触している画像カードを前記特定の画像カードとして認識し、前記画像を示す情報として、前記画像の部分、前記画像のサムネイル、または前記画像の特徴ある部分の画像である特徴画像を表示させる
請求項３に記載の情報処理装置。
【請求項５】
前記画像の部分は、前記画像の両端部分のうちの何れか一方、または前記画像の中心部分である
請求項４に記載の情報処理装置。
【請求項６】
前記表示制御手段は、前記複数の画像カードのうち、最前面の画像カードを前記特定のカードとして、前記特定のカードの左右に前記画像カードの重なり部分をそれぞれ表示させ、左右の前記重なり部分はそれぞれ最前面の前記画像カードよりも後ろに表示させる
請求項３に記載の情報処理装置。
【請求項７】
前記表示制御手段は、前記複数の画像カードのうち、所定の画像カードを前記特定のカードとして、前記特定のカードの左右に前記画像カードの重なり部分をそれぞれ表示させ、左右のうちの一方の前記重なり部分、前記特定のカード、および、左右のうちの他方の前記重なり部分の順番で表示させる
請求項３に記載の情報処理装置。
【請求項８】
前記表示制御手段は、前記特定の画像カードの左右方向のうちの一方向に表示される前記重なり部分に対する前記一方向のなぞり操作と、他方向に表示される前記重なり部分に対する前記一方向のなぞり操作とが前記操作入力受付け手段により受け付けられた場合、前記複数の画像カードを前記一方向に送ることで、
前記特定の画像カードを更新し、更新された前記特定の画像カードに対応付けられた画像またはその画像を示す情報を表示させる
請求項６または７に記載の情報処理装置。
【請求項９】
画像を表示し、ユーザの操作入力を受付ける情報処理装置が、
実際のカードを模したオブジェクトとしての画像カードに画像を対応付け、複数の前記画像カードを重ねた様子を示す確認画像を表示させ、前記複数の画像カードのうち特定の画像カードを確認する指示を示す確認操作が受け付けられた場合、前記特定の画像カードに対応付けられた画像またはその画像を示す情報を、前記特定の画像カードの少なくとも一部の領域に表示させる表示制御を行う
ステップを含む情報処理方法。
【請求項１０】
画像を表示し、ユーザの操作入力を受付ける情報処理装置を制御するコンピュータが、
実際のカードを模したオブジェクトとしての画像カードに画像を対応付け、複数の前記画像カードを重ねた様子を示す確認画像を表示させ、前記複数の画像カードのうち特定の画像カードを確認する指示を示す確認操作が受け付けられた場合、前記特定の画像カードに対応付けられた画像またはその画像を示す情報を、前記特定の画像カードの少なくとも一部の領域に表示させる表示制御を行う
ステップを含む制御処理を実行するプログラム。
【発明の詳細な説明】
【技術分野】
【０００１】
本発明は、情報処理装置および方法、並びにプログラムに関し、特に、複数の画像を効率よく確認することができ、さらに、確認操作が簡便かつ直感的にできるようになった、情報処理装置および方法、並びにプログラムに関する。
【背景技術】
【０００２】
従来、デジタルカメラ（特許文献１参照）の表示画面上で複数の画像を表示する表示手法として、サムネイルをタイル上に並べて一覧表示するといった表示手法（以下、従来の表示手法と称する）が一般的に採用されている。
【特許文献１】特開２００７−０１９６８５号公報
【発明の開示】
【発明が解決しようとする課題】
【０００３】
しかしながら、従来の表示手法では、一度に表示できるサムネイルの枚数は、デジタルカメラの表示画面のサイズに依存してしまう。
【０００４】
さらに、デジタルカメラ内のアルバムに含まれる画像の枚数が、一度に表示できるサムネイルの枚数を超えている場合、ユーザは、全てのサムネイルを確認するためには、スクロール操作をしなければならない。即ち、ユーザは、ボタンの押下や、タッチパネル上をなぞる動作といった煩雑な操作をする必要がある。
【０００５】
特に、ユーザは、アルバムの画像の枚数が多い場合、アルバム内の所望の1枚の画像をサムネイルとして探し出すためには、スクロール操作を繰り返し行わなければならず、長時間を要する場合もあった。さらに、上述の如くデジタルカメラの表示画面に表示できるサムネイルの枚数はその表示画面のサイズに依存しているため、ユーザは、アルバムに含まれる画像の総数を把握することが困難である場合があった。
【０００６】
本発明は、このような状況に鑑みてなされたものであり、複数の画像を効率よく確認することができ、さらに、確認操作が簡便かつ直感的にできるようにするものである。
【課題を解決するための手段】
【０００７】
本発明の一側面の情報処理装置は、画像を表示する表示手段と、ユーザの操作入力を受け付ける操作入力受付け手段と、実際のカードを模したオブジェクトとしての画像カードに画像を対応付け、複数の前記画像カードを重ねた様子を示す確認画像を前記表示手段に表示させ、前記複数の画像カードのうち特定の画像カードを確認する指示を示す確認操作が前記操作入力受付け手段により受け付けられた場合、前記特定の画像カードに対応付けられた画像またはその画像を示す情報を、前記特定の画像カードの少なくとも一部の領域に表示させる表示制御を行う表示制御手段とを備える。
【０００８】
前記表示制御手段は、前記複数の画像カードを重ねた様子を示す画像として、前記複数の画像カードを束ねた様子を示す画像、または、前記複数の画像カードを扇形に重ねた様子を示す画像を表示させる。
【０００９】
ユーザが指を前記表示手段に接触させたまま所定方向に所定距離だけ動かす操作をなぞり操作として、前記複数の画像カードの重なり部分に対する前記なぞり操作が前記確認操作として採用されている。
【００１０】
前記表示制御手段は、前記ユーザの１本の指による前記なぞり操作が停止したときに前記１本の指が接触している画像カードを前記特定の画像カードとして認識し、前記画像を示す情報として、前記画像の部分、前記画像のサムネイル、または前記画像の特徴ある部分の画像である特徴画像を表示させる。
【００１１】
前記画像の部分は、前記画像の両端部分のうちの何れか一方、または前記画像の中心部分である。
【００１２】
前記表示制御手段は、前記複数の画像カードのうち、最前面の画像カードを前記特定のカードとして、前記特定のカードの左右に前記画像カードの重なり部分をそれぞれ表示させ、左右の前記重なり部分はそれぞれ最前面の前記画像カードよりも後ろに表示させる。
【００１３】
前記表示制御手段は、前記複数の画像カードのうち、所定の画像カードを前記特定のカードとして、前記特定のカードの左右に前記画像カードの重なり部分をそれぞれ表示させ、左右のうちの一方の前記重なり部分、前記特定のカード、および、左右のうちの他方の前記重なり部分の順番で表示させる。
【００１４】
前記表示制御手段は、前記特定の画像カードの左右方向のうちの一方向に表示される前記重なり部分に対する前記一方向のなぞり操作と、他方向に表示される前記重なり部分に対する前記一方向のなぞり操作とが前記操作入力受付け手段により受け付けられた場合、前記複数の画像カードを前記一方向に送ることで、前記特定の画像カードを更新し、更新された前記特定の画像カードに対応付けられた画像またはその画像を示す情報を表示させる。
【００１５】
本発明の一側面の情報処理方法およびプログラムは、上述した本発明の一側面の情報処理装置に対応する方法およびプログラムである。
【００１６】
本発明の一側面の情報処理装置および方法、並びにプログラムにおいては、画像を表示し、ユーザの操作入力を受付ける情報処理装置において、実際のカードを模したオブジェクトとしての画像カードに画像が対応付けられ、複数の前記画像カードを重ねた様子を示す確認画像が表示され、前記複数の画像カードのうち特定の画像カードを確認する指示を示す確認操作が受け付けられた場合、前記特定の画像カードに対応付けられた画像またはその画像を示す情報が、前記特定の画像カードの少なくとも一部の領域に表示される。
【発明の効果】
【００１７】
以上のごとく、本発明によれば、複数の画像を効率よく確認することができ、さらに、確認操作が簡便かつ直感的にできるようになる。
【発明を実施するための最良の形態】
【００１８】
以下、図面を参照して、本発明の実施の形態について説明する。
【００１９】
図１は、本発明が適用された情報処理装置の一実施形態としての撮像装置の構成例を示すブロック図である。
【００２０】
図１の例では、撮像装置は、レンズ部１１乃至タッチパネル２８を含むように構成されている。
【００２１】
レンズ部１１は、撮像レンズ、絞り、フォーカスレンズ等から構成される。レンズ部１１を介して入射する被写体光の光路上には、CCD(Charge Coupled Device)等の撮像素子１２が配置されている。
【００２２】
撮像素子１２、アナログ信号処理部１３、A/D(Analog/Digital)変換部１４、およびデジタル信号処理部１５がその順番で接続されている。
【００２３】
デジタル信号処理部１５にはまた、液晶パネル１７、記録デバイス１９およびタッチパネル２８が接続されている。
【００２４】
レンズ部１１には、レンズ部１１を構成する絞りの調整や、フォーカスレンズの移動を行うためのアクチュエータ２０が接続されている。アクチュエータ２０には、モータドライバ２１も接続されている。モータドライバ２１は、アクチュエータ２０の駆動制御を行う。
【００２５】
CPU(Central Processing Unit)２３は、撮像装置全体を制御する。このため、CPU２３には、アナログ信号処理部１３、A/D変換部１４、デジタル信号処理部１５、モータドライブ２１、TG(Timing Generator)２２、操作部２４、EEPROM(Electrically Erasable Programmable ROM)２５、プログラムROM(Read Only Memory)２６、RAM(Random Access Memory)２７、タッチパネル１６、およびタッチパネル２８が接続されている。
【００２６】
タッチスクリーン１８は、タッチパネル１６と液晶パネル１７により構成されている。タッチパネル２８は、タッチスクリーン１８と対向する撮像装置の面、即ち、撮像レンズ４５側の面に配置されている（後述する図２参照）。
【００２７】
記録デバイス１９は、例えばDVD(Digital Versatile Disc)等の光ディスクやメモリカード等の半導体メモリその他のリムーバブルな記録媒体で構成されている。記録デバイス１９は、撮像装置本体に対して着脱自在となっている。
【００２８】
EEPROM２５は、設定された各種情報を記憶する。その他の情報、例えば、電源状態がオフにされたときにも保持すべき情報等がEEPROM２５に記憶される。
【００２９】
プログラムROM２６は、CPU２３が実行するプログラムおよびプログラムを実行する上で必要なデータを記憶する。
【００３０】
RAM２７は、CPU２３が各種処理を実行する際のワークエリアとして必要なプログラムやデータを一時記憶する。
【００３１】
以下、図１の構成の撮像装置全体の動作の概略について説明する。
【００３２】
CPU２３は、プログラムROM２６に記録されているプログラムを実行することにより、撮像装置を構成する各部を制御する。また、CPU２３は、タッチパネル１６またはタッチパネル２８からの信号や、操作部２４からの信号に応じて、所定の処理を実行する。この処理の具体例については、図９、図１２、図１５、図１８、図２２乃至図２４、図２７乃至図２９、図３２、図３３、図３７、および図３９の各フローチャートを参照して後述する。
【００３３】
操作部２４は、ユーザによって操作され、その操作に対応する信号をCPU２３に提供する。
【００３４】
すなわち、タッチスクリーン１８またはタッチパネル２８は、任意の位置に指が触れる等して接触されると、つまりユーザにより所定の操作入力がなされると、接触された位置の座標を検出する。検出された座標を示す電気信号（以下、座標信号と称する）がCPU２３に送出される。CPU２３は、座標信号から接触位置の座標を認識し、座標に対応付けられた所定の情報を取得し、その情報に基づいて所定の処理を実行する。
【００３５】
なお、本明細書では、接触とは、静的な接触（所定の一領域のみの接触）だけではなく、動的な接触（指等の接触物体が所定の軌跡を描いて動く接触）も含む。例えば、画像上の扇子を開かせるような指のなぞりも、接触の一形態である。
【００３６】
アクチュエータ２０の駆動により、レンズ部１１は、撮像装置の筐体から露出または収納される。また、アクチュエータ２０の駆動により、レンズ部１１を構成する絞りの調整や、レンズ部１１を構成するフォーカスレンズの移動が行われる。
【００３７】
TG２２は、CPU２３の制御に基づいて、タイミング信号を撮像素子１２に提供する。タイミング信号により、撮像素子１２における露出時間等が制御される。
【００３８】
撮像素子１２は、TG２２から提供されるタイミング信号に基づいて動作することにより、レンズ部１１を介して入射する被写体光を受光して光電変換を行う。そして、受光量に応じたアナログの画像信号をアナログ信号処理部１３に提供する。このとき、モータドライバ２１は、CPU２３の制御に基づいてアクチュエータ２０を駆動する。
【００３９】
アナログ信号処理部１３は、CPU２３の制御に基づいて、撮像素子１２から提供されたアナログの画像信号に対して増幅等のアナログ信号処理を施す。その結果得られるアナログの画像信号は、アナログ信号処理部１３からA/D変換部１４に提供される。
【００４０】
A/D変換部１４は、CPU２３の制御に基づいて、アナログ信号処理部１３からのアナログの画像信号をA/D変換する。その結果得られるデジタルの画像信号は、A/D変換部１４からデジタル信号処理部１５に提供される。
【００４１】
デジタル信号処理部１５は、CPU２３の制御に基づいてA/D変換部１４から提供されたデジタルの画像信号に対して、ノイズ除去処理等のデジタル信号処理を施す。デジタル信号処理部１５は、そのデジタルの画像信号に対応する画像を、液晶パネル１７に表示させる。
【００４２】
また、デジタル信号処理部１５は、A/D変換部１４から提供されたデジタルの画像信号を、例えばJPEG(Joint Photographic Experts Group)等の所定の圧縮符号化方式に従って圧縮符号化する。デジタル信号処理部１５は、圧縮符号化されたデジタルの画像信号を、記録デバイス１９に記録させる。なお、本実施の形態では、アルバム単位で画像が記録されているとする。アルバムとは、実世界上の写真を貼り付けるアルバムを模した表現であり、ユーザが所定の関連性に従って集めた画像群を含める単位をいう。
【００４３】
デジタル信号処理部１５はまた、記録デバイス１９から圧縮符号化されたデジタルの画像信号を読み出し、所定の圧縮符号化方式に対応する伸張復号方式に従って伸張復号する。デジタル信号処理部１５は、そのデジタルの画像信号に対応する画像を液晶パネル１７表示させる。
【００４４】
その他、デジタル信号処理部１５は、CPU２３の制御に基づいて、AF（auto focus）の機能を発揮させるために用いる枠（以下、AF枠と称する）の画像を生成し、液晶パネル１７に表示させる。
【００４５】
即ち、撮像素子１２によって撮像された画像は液晶パネル１７に表示される。この場合、液晶パネル１７に表示された画像上にAF枠が設定される。このAF枠の内部の画像に基づいてフォーカスが制御される。
【００４６】
このように、撮像装置はAF機能を有している。AF機能は、フォーカスの制御機能の他、液晶パネル１７に表示された画像上の任意の位置にAF枠を設定する機能を含む。さらに、AF機能は、液晶パネル１７とタッチパネル１６から構成されたタッチスクリーン１８に対する操作だけで、その位置やサイズ等の制御を行う機能を含む。
【００４７】
AF機能を実現させる処理は、CPU２３が、プログラムROM２６のプログラムを読み出して実行することで実現される。また、撮像装置は、その他にも、AE（Automatic Exposure）機能、AWB（Auto White Balance）機能を有している。これらの機能についても、CPU２３が、プログラムROM２６のプログラムを読み出して実行することで実現される。
【００４８】
さらにいえば、AF機能、AE機能、およびAWB機能は、撮像装置が有する機能の例示にしか過ぎない。即ち、撮像装置は、撮影に関する各種機能を有している。以下、各種機能のうち、撮影に関する基本的な機能を、基本機能と称し、撮影に関する応用的な機能を、応用機能と称する。基本機能としては、AF機能、AE機能、およびAWB機能の他、例えば、「撮影モード選択機能」や「撮影タイマの設定機能」等を採用することができる。応用機能としては、例えば、「画素数変更機能」や「色彩調整機能」等を採用することができる。
【００４９】
図２は、図１の例の撮像装置の外観の構成例を示す斜視図である。
【００５０】
なお、以下、撮像装置の面のうち、ユーザが被写体を撮影する場合に被写体と対向する面、即ち、レンズ部１１が配置される面を前面と称する。一方、撮像装置の面のうち、ユーザが被写体を撮影する場合にユーザと対向する面、即ち、前面の反対側の面を後面と称する。また、撮像装置の面のうち、ユーザが被写体を撮影する場合に、上側に配置される面を上面と、下側に配置される面を下面と、それぞれ称する。
【００５１】
図２のＡは、撮像装置の前面の外観の構成例を示す斜視図である。図２のＢは、撮像装置の後面の外観の構成例を示す斜視図である。
【００５２】
撮像装置の前面は、レンズカバー４７で覆うことができる。前面のレンズカバー４７が図中下方に開かれると、図２のＡの状態になる。図２のＡに示されるように、レンズカバー４７の覆いが除かれた前面の上部には、その右方から、レンズ部１１に含まれる撮像レンズ４５とAFイルミネータ４６がその順番で配置されている。また、レンズカバー４７が覆われている前面の下部のうち、ユーザが被写体を撮影する場合に保持する部分には、タッチパネル２８が配置されている。
【００５３】
AFイルミネータ４６は、セルフタイマランプを兼ねている。撮像装置の上面には、図２のＡの左方から、ズームレバー（TELE/WIDE）４１、シャッタボタン４２、再生ボタン４３およびパワーボタン４４がその順番で配置されている。ズームレバー４１、シャッタボタン４２、再生ボタン４３、およびパワーボタン４４は、図１の操作部２４に含まれる。
【００５４】
図２のＢに示されるように、撮像装置の後面の全体には、タッチスクリーン１８が配置されている。
【００５５】
このように、撮像装置の後面にタッチスクリーン１８が設けられているので、ユーザは、被写体を撮影する場合に、撮像装置の前面を被写体に向けたままの状態で、タッチスクリーン１８によるGUI（Graphical User Interface）の操作を行うことができる。
【００５６】
タッチスクリーン１８によるGUIの操作として、例えば本実施の形態では、複数の画像の中から特定の画像を確認する操作（以下、画像確認操作と称する）を行うことができる。
【００５７】
図３を参照して、画像確認操作の第１の実施例について説明する。即ち、図３は、タッチスクリーン１８に複数の画像を表示する表示手法の一例と、画像確認操作の第１の実施例を説明する図である。
【００５８】
ここで、撮像装置の動作状態のうち、ユーザが撮像装置内のアルバムに保存されている複数の画像を確認できる状態を、再生モードと称する。即ち、再生モードに設定された場合に、画像確認操作ができるとする。再生モードに設定する操作自体は特に限定されない。例えば、図３のＡに示されるように、指f1と指f2との両方をタッチスクリーン１８に接触させる操作を採用しても良い。なお、後述するように、指f2は、画像確認操作にとっては必須ではない。
【００５９】
再生モードに設定されると、例えば図３のＡに示されるように、タッチスクリーン１８には、複数のカードが重ねられた状態で表示される。本実施の形態では例えば、１枚の画像は、１枚のカードを模したオブジェクト（以下、画像カードCAと称する）として表示される。即ち、画像カードCAには、撮像装置内のアルバムに保存されている複数の画像のうちの所定の１枚を示す情報が表示される。なお、複数の画像カードCAが重ねられた画像が表示されており、所定の１枚の画像カードCAを選択操作できる状態のタッチスクリーン１８の表示面を、画像確認操作画面と称する。即ち、図３のＡは、画像確認操作画面の初期表示状態の一例を示している。
【００６０】
ユーザは、図３のＡの楕円状で囲まれた領域、即ち、複数の画像カードCAの重なり部分の領域（図３においては、画像カードCAの左下の領域）に対して、指f1によるなぞり操作をすることができる。なぞり操作とは、ユーザが指をタッチスクリーン１８の所定領域に接触させ、その後、指の接触を維持したまま、所定領域を起点として所定方向に所定距離だけ指を移動させる（ドラッグする）操作をいう。
【００６１】
ユーザが指f1でなぞり操作をしているときに、指f1の接触が、特定の画像カードCA1上で一定時間維持されると、タッチスクリーン１８の表示状態が、図３のＡの表示状態から図４のＡの表示状態に遷移する。即ち、図４のＡに示されるように、指f1の接触が一定時間維持された画像カードCA1よりも前までに配置された１枚以上の画像カードCAの群CAGが、めくれたように表示される。そして、指f1の接触が一定時間維持された画像カードCA1に対応付けられた画像Ｐを示す情報が表示される。なお、「一定時間維持」とは、所定時間（閾値）以上の指の静止を意味しない。即ち、「一定時間維持」とは、瞬時の指の静止の場合や、なぞり操作の速度が落ちて（指がゆっくり動いて）、その結果特定の画像カード上に指が維持されている場合も含む広義な概念である。
【００６２】
画像Ｐを示す情報は、その名の如く、画像Ｐを示すものであれば特に限定されない。例えば、図４の例では、画像Ｐの一部分PPが、画像Ｐを示す情報として採用されている。
【００６３】
具体的には例えば、図４のＢに示されるように、画像Ｐのうち左半分のみを、画像Ｐの一部分PPとして、図４のＡの特定の画像カードCA1に表示させることができる。なお、画像カードCAの右側の領域でなぞり操作をした場合には、特定の画像カードCA1よりも前に配置された１枚以上の画像カードCAの群CAGがめくれる様子は、図４のＡの状態に対して線対称の状態になる。よって、このような場合には、図示はしないが、画像Ｐのうちの右半分のみを、画像Ｐの一部分PPとして、図４のＡの特定の画像カードCA1に表示させることもできる。
【００６４】
例えばまた、図４のＣに示されるように、画像Ｐの中心部分を切り取って、それを画像Ｐの一部分PPとして、図４のＡの特定の画像カードCA1に表示させることができる。通常、ユーザが確認したい被写体は、画像Ｐの中心部分に含まれていることが多いためである。即ち、画像Ｐの中心部分を表示させることにより、ユーザの写真に対する認識率が上がる、という効果を奏することが可能になる。
【００６５】
なお、特定の画像カードCA1に表示させる画像Ｐを示す情報は、図４の例に特に限定されない。その他例えば、画像Ｐの任意の部分を切り取って、それを画像Ｐの一部分PPとして、特定の画像カードCA1に表示させてもよい。
【００６６】
また例えば、画像Ｐのサムネイルや、画像Ｐの特徴ある部分の画像（以下、特徴画像と称する）を、画像Ｐを示す情報として採用することもできる。以下、これらの例について、図５と図６を参照して説明する。
【００６７】
図５は、特定の画像カードCA1に表示させる画像Ｐを示す情報の一例であって、図４の例とは異なる例を示している。
【００６８】
ユーザが、画像確認操作画面の画像カードCAの重なり部分の領域を、指f1でなぞり操作をしているときに、指f1の接触が、特定の画像カードCA1上で一定時間維持されると、タッチスクリーン１８の表示状態が、図３のＡの表示状態から図５の表示状態に遷移する。
【００６９】
即ち、図５に示されるように、特定の画像カードCA1よりも前に配置された１枚以上の画像カードCAの群CAG（図５の例では１枚のみ）の左下の領域が、めくれたように表示される。そして、特定の画像カードCA1上の、めくれたように表示される領域に、画像ＰのサムネイルPSが表示される。
【００７０】
なお、サムネイルPSの表示場所は、図５の例のように、特定の画像カードCA1の左下の領域が、めくれたように表示された領域に限定されず、その他例えば図４のＡに示されるような特定の画像カードCA1の領域でもよい。
【００７１】
図６は、特定の画像カードCA1に表示させる画像Ｐを示す情報の一例であって、図４や図５の例とは異なる例を示している。
【００７２】
図６に示されるように、特定の画像カードCA1よりも前に配置された１枚以上の画像カードCAの群CAG（図６の例では１枚のみ）の左下の領域が、めくれたように表示される。そして、特定の画像カードCA1上の、めくれたように表示される領域に、画像Ｐの特徴画像ＰＣが表示される。即ち、画像Ｐに含まれるオブジェクト等のうち、例えば顔、建物、動物、花、その他特徴のあるオブジェクト等が、特徴画像ＰＣとして表示される。
【００７３】
なお、特徴画像ＰＣの表示場所は、図６の例のように、特定の画像カードCA1の左下の領域が、めくれたように表示された領域に限定されず、その他例えば図４のＡに示されるような特定の画像カードCA1全体の領域でもよい。
【００７４】
以上説明したように、ユーザは、画像確認操作の第１の実施例を行うことで、特定の画像カードCA1には、それと対応付けられた画像Ｐを示す情報が表示される。よって、ユーザは、アルバム内の複数の画像の中身を容易に確認することができ、特定の1枚の画像Ｐを短時間で探すことが可能となる。
【００７５】
なお、図３乃至図６の例では、画像カードCAの左側の領域で操作がなされているが、当然ながら、画像カードCAの右側の領域で操作がなされてもよい。
【００７６】
また、図３のＡに示されるように、撮像装置内のアルバムの複数の画像に対応する各画像カードCAを重ねて表示することにより、アルバム中に含まれる画像の総数を把握することが容易になる、という効果を奏することが可能になる。
【００７７】
さらに、ユーザがアルバム中の画像Ｐを確認する場合、指f1のなぞり操作の操作距離は、図３のＡの楕円状で囲まれた領域内の矢印で示される距離程度でよい。即ち、指f1の操作距離が短くて済む、という効果を奏することが可能になる。
【００７８】
なお、図３のＢは、図３のＡに示されるなぞり操作と、実世界の複数のカードをめくる動作（以下、カードめくり動作と称する）とを比較するための参考図である。図３のＢに示される左手親指f1によるカードめくり動作が、図３のＡに示される指f1によるなぞり操作に対応する。また、実世界のカードめくり動作の最中、図３のＢに示されるように、カードがめくられてもばらばらとならないように、右手親指f2よりカードが支えられる。このカードを支える指f2に対応させるべく、図３のＡにも、指f2が描画されている。即ち、図３のＡにおいて指f2が描画されている理由は、画像カードCAの、指f1がなぞり操作を実行している領域とは反対側の領域（図３においては、画像カードCAの右側の領域）を支えていることを示すためである。従って、別の方法で撮像装置を支えることができるのであれば、必ずしも指f2が画像カードCAに接触している必要は特にない。
【００７９】
このように、ユーザは、タッチスクリーン１８上で、実世界のカードを模した画像カードCAを用いて、実世界の操作を模した操作をすることができるので、直感的に操作をすることができる。
【００８０】
また、画像確認操作画面は、上述した例に特に限定されない。例えば図７に示される画像確認操作画面を採用することもできる。換言すると、図７は、タッチスクリーン１８に、複数の画像を表示する表示手法の一例であって、図３とは異なる例を説明する図である。
【００８１】
図７の例では、タッチスクリーン１８には、画像確認操作画面の初期表示状態の一例として、複数の画像カードCAが扇形状に重ねて配置された状態で表示される。
【００８２】
ユーザは、図７のＡの矢印で示される範囲、即ち、複数の画像カードCAの重なり部分の上部の領域で、指f1によるなぞり操作をする。
【００８３】
ユーザが、画像カードCAの重なり部分の上部の領域を指f1でなぞり操作をしているときに、特定の画像カードCA1上で指f1の接触が一定時間維持されると、タッチスクリーン１８の表示状態が、図７のＡの状態から図７のＢの状態に遷移する。
【００８４】
即ち、図７のＢに示されるように、指f1の接触が一定時間維持された画像カードCA1に対して後ろに配置された１枚以上の画像カードCAの群CAGL（ただし、CA1は含まない）と、指f1の接触が一定時間維持された画像カードCA1に対して前に配置された１枚以上の画像カードCAの群CAGR（ただし、CA1は含まない）との間隔の領域TCAが、他の画像カードCAとの間隔の領域よりも広く表示される。なお、実世界で３次元の奥行き方向に距離が離れている場合でも、画面上では領域TCAを広く表示させるとする。特定の画像カードCA1の領域TCAに、例えば画像Ｐの特徴画像ＰＣが表示される。
【００８５】
なお、特定の画像カードCA1に表示される画像とは、上述の如く、特定の画像カードCA1に対応付けられた画像Ｐを示す情報である。よって、特定の画像カードCA1の領域TCAに、特徴画像ＰＣの他例えば、図４のＢやＣに示されるような画像PPや、図５に示されるようなサムネイルPSを表示させることもできる。
【００８６】
以上説明したように、ユーザが指f1でなぞり操作をしているときに、指f1の接触が、特定の画像カードCA1上で一定時間維持されると、その特定の画像カードCA1に対応付けられた画像Ｐを示す情報が表示される。この場合、指f1の接触とは、タッチスクリーン１８上の一点ではなく、一定の面積を有する領域の接触になる。従って、任意の時刻で指f1は、複数の画像カードCAに接触していることになる。この場合、「指f1の接触が、特定の画像カードCA1上で一定時間維持されると、その特定の画像カードCA1に対応付けられた画像Ｐを示す情報が表示される」の特定の画像カードCA1とは、指f1が接触している複数の画像カードCAのうち何れのカードとするのかが問題となる。
【００８７】
基本的には、指f1が接触している複数の画像カードCAの何れも、特定の画像カードCA1とすることが可能である。即ち、設計者等が自由に決定できる事柄である。
【００８８】
具体的には例えば、図８のＡに示されるように、指f1の接触領域EF1の一番左側と接触している画像カードCAを、特定の画像カードCA1とすることができる。
【００８９】
具体的には例えば、図８のＢに示されるように、指f1の接触領域EF1の一番右側と接触している画像カードCAを、特定の画像カードCA1とすることができる。
【００９０】
具体的には例えば、図８のＣに示されるように、指f1の接触領域EF1の一番上側と接触している画像カードCAを、特定の画像カードCA1とすることができる。
【００９１】
具体的には例えば、図８のＤに示されるように、指f1の接触領域EF1の一番下側と接触している画像カードCAを、特定の画像カードCA1とすることができる。
【００９２】
具体的には例えば、図８のＥに示されるように、指f1の接触領域EF1の重心と接触している画像カードCAを、特定の画像カードCA1とすることができる。
【００９３】
具体的には例えば、図８のＦに示されるように、指f1の接触領域EF1の全体と接触している画像カードCAを、特定の画像カードCA1とすることができる。
【００９４】
なお、図８の例に限定されないことは言うまでも無い。 
【００９５】
次に、図３乃至図８を用いた操作例、即ち画像確認操作の第１の実施例に対して、図１の撮像装置が実行する処理について説明する。なお、画像確認操作に対して撮像装置が実行する処理を、以下、画像確認処理と称する。特に、本実施の形態の画像確認操作のうちの第Ｋの実施例（Ｋは１以上の整数値）の操作に対する画像確認処理を、第Ｋ画像確認処理と称する。
【００９６】
図９は、第１画像確認処理の一例を説明するフローチャートである。
【００９７】
撮像装置の動作状態が、再生モードに遷移すると、第１画像確認処理が開始される。
【００９８】
ステップＳ１において、CPU２３は、デジタル信号処理部１５を制御して、画像確認操作画面の表示状態を、初期表示状態にする。例えば、タッチスクリーン１８の表示状態は、図３のＡの表示状態になる。
【００９９】
ステップＳ２において、CPU２３は、複数の画像カードCAの重なり部分でなぞり操作がなされたか否かを判定する。
【０１００】
なお、なぞり操作が行われているか否かは、タッチスクリーン１８を構成するタッチパネル１６から座標信号をCPU２３が監視することで実現できる。即ち、CPU２３は、座標信号の時系列から、指f1の軌跡を認識することができる。そこで、CPU２３は、その認識結果に基づいて、なぞり操作が実施されているか否かを検出する。
【０１０１】
従って、CPU２３は、指f1の軌跡の認識結果によりなぞり操作が検出されなかった場合、ステップＳ２においてＮＯであると判定して、処理をステップＳ２に戻して、それ以降の処理を繰り返し実行する。即ち、なぞり操作が検出されるまでの間、ステップＳ２の判定処理が繰り返し実行される。
【０１０２】
その後、CPU２３は、指f1の軌跡の認識結果によりなぞり操作を検出した場合、ステップＳ２においてＹＥＳであると判定して、処理をステップＳ３に進める。
【０１０３】
ステップＳ３において、CPU２３は、一定時間接触されている特定の画像カードCA1を特定する。そして、CPU２３は、デジタル信号処理部１５を制御して、特定の画像カードCA1に対応付けられた画像Ｐを示す情報を表示させる。
【０１０４】
即ち、ユーザによるなぞり操作が一定時間停止した場合、CPU２３は、ユーザの指f1によって一定時間接触されている画像カードCAを特定する。そして、CPU２３は、デジタル信号処理部１５を制御して、タッチスクリーン１８の表示状態を、例えば図３のＡの表示状態から図４のＡ，図５，図６等の表示状態に遷移させる。そして、CPU２３は、デジタル信号処理部１５を制御して、例えば図４のＢやＣに示されるような画像Ｐの一部分PP、図５に示されるような画像ＰのサムネイルPS、もしくは、図６に示されるような画像Ｐの特徴画像ＰＣを、特定の画像カードCA1の所定領域に表示させる。
【０１０５】
ステップＳ４において、CPU２３は、画像確認操作を終了したか否かを判定する。
【０１０６】
ユーザが画像確認操作を終了していない場合、ステップＳ４においてＮＯであると判定されて、処理はステップＳ２に戻され、それ以降の処理が繰り返される。即ち、ユーザが画像確認操作を継続している限り、ステップＳ２乃至Ｓ４のループ処理が繰り返される。
【０１０７】
その後、ユーザが画像確認操作を終了した場合、ステップＳ４においてＹＥＳであると判定されて、第１画像確認処理は終了する。
【０１０８】
以上、図３乃至図８を参照して、画像確認操作の第１の実施例について説明した。そして、図９のフローチャートを参照して、第１の実施例に対する第１画像確認処理の一例について説明した。
【０１０９】
次に、図１０と図１１を参照して、画像確認操作の第２の実施例について説明する。そして、図１２のフローチャートを参照して、第２の実施例に対する第２画像確認処理の一例について説明する。
【０１１０】
第２の実施例では、画像確認操作画面上でユーザが複数の画像カードCAの重なり部分の領域を指f1でなぞり操作をした場合に、なぞり速度Vfに応じて、特定の画像カードCA1の表示形態が変化する。ここで、なぞり速度Vfとは、なぞり操作をしている指f1の移動速度をいう。
【０１１１】
具体的には例えば、ユーザが指f1でなぞり操作をしているときに、特定の画像カードCA1上で一定時間指f1の接触が維持されると、タッチスクリーン１８の表示状態は、図３のＡの表示状態から図１０の表示状態に遷移する。即ち、図１０に示されるように、特定の画像カードCA1よりも前までに配置された１枚以上の画像カードCAの群CAGが、めくれたように表示される。そして、指f1の接触が一定時間維持された特定の画像カードCA1上に画像Ｐの一部分PPが表示される。
【０１１２】
このとき、CPU２３は、例えば、撮像装置の処理速度Vtを閾値として、なぞり速度Vfが閾値Vtを越えているか否かで、特定の画像カードCA1の表示形態を変化させることができる。
【０１１３】
例えば、なぞり速度Vfが閾値Vt以下の場合には、上述の他の実施例と同様に、特定の画像カードCA1に、それに対応する画像Ｐを示す情報を表示させる。
【０１１４】
これに対して、なぞり速度Vfが閾値Vtを超えている場合には、撮像装置は、処理時間を十分に確保できない。そこで、このような場合に対処すべく、画像Ｐを示す情報のうち、なぞり速度Vfが閾値Vt以下の場合に特定の画像カードCA1に表示させる情報と比較して、情報量の少ない情報（以下、画像Ｐを示す劣化情報と称する）を用意するとする。そして、なぞり速度Vfが閾値Vtを超えている場合には、特定の画像カードCA1に、それに対応する画像Ｐを示す劣化情報を表示させる。
【０１１５】
なぞり速度Vfが閾値Vt以下の場合には、例えば図１１のＡの上側の図に示されるように、オリジナルの解像度の画像Ｐのうち左半分のみを、画像Ｐを示す情報として採用できる。そして、かかる画像Ｐを示す情報を、画像Ｐの一部分PPとして、特定の画像カードCA1に表示させることができる。
【０１１６】
これに対して、なぞり速度Vfが閾値Vtを超えている場合には、例えば図１１のＡの下側の図に示されるように、オリジナルよりも低い解像度の画像Ｐ（図１１のＡの下側の図ではサイズを縮小した画像Ｐ）のうちの左半分のみを、画像Ｐを示す劣化情報として採用できる。そして、かかる画像Ｐを示す劣化情報を、画像Ｐの一部分PPとして、特定の画像カードCA1に表示させることができる。
【０１１７】
また例えば、なぞり速度Vfが閾値Vt以下の場合には、例えば図１１のＢの上側の図に示されるように、オリジナルの解像度の画像Ｐのうち左半分のみを、画像Ｐを示す情報として採用できる。そして、かかる画像Ｐを示す情報を、画像Ｐの一部分PPとして、特定の画像カードCA1に表示させることができる。
【０１１８】
これに対して、なぞり速度Vfが閾値Vtを超えている場合には、撮像装置は、処理時間を十分に確保できない。そこで、例えば図１１のＢの下側の図に示されるように、オリジナルの画像Ｐのうちの左半分よりも狭い領域のみを、画像Ｐを示す劣化情報として採用できる。そして、かかる画像Ｐを示す劣化情報を、画像Ｐの一部分PPとして、特定の画像カードCA1に表示させることができる。
【０１１９】
なお、画像Ｐを示す情報や、画像Ｐを示す劣化情報は、図１１の例に限定されないことは言うまでも無い。例えば、画像Ｐを示す情報としては図１１の例の情報を採用し、画像Ｐを示す劣化情報としては、サムネイルPSや特徴画像ＰＣを採用することもできる。
【０１２０】
このように、なぞり操作の処理速度に応じて、特定の画像カードCA1の表示を変化させることにより、その表示処理の遅延を防止することができる、という効果を奏することが可能になる。
【０１２１】
次に、図１２のフローチャートを参照して、画像確認操作の第２の実施例に対する第２画像確認処理の一例について説明する。
【０１２２】
撮像装置の動作状態が、再生モードに遷移すると、第２画像確認処理が開始される。
【０１２３】
ステップＳ２１において、CPU２３は、デジタル信号処理部１５を制御して、画像確認操作画面の表示状態を、初期表示状態にする。
【０１２４】
ステップＳ２２において、CPU２３は、複数の画像カードCAの重なり部分でなぞり操作がなされたか否かを判定する。
【０１２５】
なぞり操作がなされなかった場合、ステップＳ２２においてＮＯであると判定されて、処理はステップＳ２２に戻され、それ以降の処理が繰り返し実行される。即ち、なぞり操作がなされるまでの間、ステップＳ２２の判定処理が繰り返し実行される。
【０１２６】
その後、なぞり操作がなされた場合、ステップＳ２２においてＹＥＳであると判定されて、処理はステップＳ２３に進む。
【０１２７】
ステップＳ２３において、CPU２３は、一定時間接触されている特定の画像カードCA1を認識する。
【０１２８】
ステップＳ２４において、CPU２３は、なぞり速度Vfが閾値Vtを越えているか否かを判定する。
【０１２９】
なぞり速度Vfが閾値Vt以下の場合、ステップＳ２４においてＮＯであると判定されて、処理はステップＳ２６に進む。ステップＳ２６において、CPU２３は、デジタル信号処理部１５を制御して、特定の画像カードCA1に、それに対応する画像を示す情報を表示させる。
【０１３０】
これに対して、なぞり速度Vfが閾値Vtを超えている場合、ステップＳ２４においてＹＥＳであると判定されて、処理はステップＳ２５に進む。ステップＳ２５において、CPU２３は、デジタル信号処理部１５を制御して、特定の画像カードCA1に、それに対応する画像を示す劣化情報を表示させる。
【０１３１】
ステップＳ２５またはＳ２６の処理が終了すると、処理はステップＳ２７に進む。
【０１３２】
ステップＳ２７において、CPU２３は、画像確認操作を終了したか否かを判定する。
【０１３３】
ユーザが画像確認操作を終了していない場合、ステップＳ２７においてＮＯであると判定されて、処理はステップＳ２２に戻され、それ以降の処理が繰り返される。即ち、ユーザが画像確認操作を継続している限り、ステップＳ２２乃至Ｓ２７のループ処理が繰り返される。
【０１３４】
その後、ユーザが画像確認操作を終了した場合、ステップＳ２７においてＹＥＳであると判定されて、第２画像確認処理は終了する。
【０１３５】
以上、図１０，図１１を参照して、画像確認操作の第２の実施例について説明した。そして、図１２のフローチャートを参照して、第２の実施例に対する第２画像確認処理の一例について説明した。
【０１３６】
次に、図１３と図１４を参照して、画像確認操作の第３の実施例について説明する。そして、図１５のフローチャートを参照して、第３の実施例に対する第３画像確認処理の一例について説明する。
【０１３７】
図１３のＡは、画像確認操作画面の初期表示状態の一例を示している。特定の画像カードCA1は、複数の画像カードCAの重なりの最前面に配置される。特定の画像カードCA1よりも左に配置された１枚以上の画像カードCAの群CAGLと、特定の画像カードCA1よりも右に配置された１枚以上の画像カードCAの群CAGRは、特定の画像カードCA1よりも後ろに配置されている。最前面の特定の画像カードCA1には、それに対応付けられた画像Ｐ１またはそれを示す情報が表示される。例えば図１３の例では、画像Ｐ１が表示されている。なお、以下、画像カードCAには、それに対応付けられた画像Ｐが表示されるとして話を進める。
【０１３８】
ユーザは、画像カードCAの群CAGLと、画像カードCAの群CAGRを、それぞれ指f1と指f2で左方向または右方向のなぞり操作をする。この操作によって、画像カードCAが左方向または右方向に送られる。これにより、最前面の特定の画像カードCAが、画像カードCA1から別の画像カードCAに遷移する。最前面の特定の画像カードCAには、それに対応付けられた画像Ｐが表示される。これにより、ユーザは、複数の画像カードCAのうちの所望の１枚に対応付けられた画像を確認することができる。
【０１３９】
図１３のＢは、図１３のＡに示されるなぞり操作と、実世界の複数のカードを左右どちらかに移動させる動作（以下、カード移動動作と称する）とを比較するための参考図である。図１３のＢに示される左手親指f1によるカード移動動作が、図１３のＡに示される指f1によるなぞり操作に対応する。また、図１３のＢに示される右手親指f2によるカード移動動作が、図１３のＡに示される指f2によるなぞり操作に対応する。
【０１４０】
このように、ユーザは、タッチスクリーン１８上で、実世界のカードを模した画像カードCAを用いて、実世界の操作を模した操作をすることができるので、直感的に操作をすることができる。
【０１４１】
図１４は、画像確認操作の第３の実施例の実施結果の具体例を示している。
【０１４２】
タッチスクリーン１８の表示状態が図１４のＡの表示状態で、ユーザは、はじめに画像カードCAの群CAGLを指ｆ1で右方向のなぞり操作をする。続いて、ユーザは、画像カードCAの群CAGRを指ｆ2で右方向のなぞり操作をする。
【０１４３】
このような一連の操作がなされると、最前面の特定の画像カードCAとして配置されていた画像カードCA1は、画像カードCAの群CAGRに移動し、図１４のＢに示されるように、特定の画像カードCA1の次に配置されていた特定の画像カードCA2が、最前面の特定の画像カードCA1として配置される。そして、特定の画像カードCA2に対応付けられた画像Ｐ２が表示される。
【０１４４】
なお、図１３，図１４の例では、なぞり操作は右方向に行われたが、上述の如くなぞり操作は逆方向でも構わない。
【０１４５】
即ち、タッチスクリーン１８の表示状態が図１４のＢの表示状態で、ユーザは、はじめに画像カードCAの群CAGRを指ｆ2で左方向のなぞり操作をする。続いて、ユーザは、画像カードCAの群CAGLを指ｆ1で左方向のなぞり操作をする。
【０１４６】
このような一連の操作がなされると、最前面の特定の画像カードCAとして配置されていた画像カードCA2は、画像カードCAの群CAGLに移動し、図１４のＡに示されるように、画像カードCA2の前に配置されていた画像カードCA1が、最前面の特定の画像カードCA1として配置される。そして、特定の画像カードCA1に対応付けられた画像Ｐ１が表示される。
【０１４７】
このように、右方向のなぞり操作がなされることにより、画像カードCAは右方向に順次送られていく。これに対して、左方向のなぞり操作がなされることにより、画像カードCAは左方向に順次送られていく。この場合の撮像装置は、左方向のなぞり操作が行われた場合も右方向のなぞり操作が行われた場合も基本的に同様の処理を実行する。よって、以下、説明の簡略上、断りの無い限り、画像カードCAが右方向に送られていくことを前提として話を進める。このことは、他の実施形態でも同様とする。
【０１４８】
次に、図１５のフローチャートを参照して、図１３と図１４を用いて説明した画像確認操作の第３の実施例に対する第３画像確認処理の一例を説明する。
【０１４９】
ステップＳ４１において、CPU２３は、デジタル信号処理部１５を制御して、画像確認操作画面の表示状態を、初期表示状態にする。例えば、タッチスクリーン１８の表示状態は、図１３のＡの表示状態になる。即ち、最前面の特定の画像カードCAは、画像カードCA1になる。
【０１５０】
ステップＳ４２において、CPU２３は、最前面の特定の画像カードCA1の左側に配置された複数の画像カードの重なり部分CAGLで、指f1による右方向のなぞり操作がなされたか否かを判定する。
【０１５１】
指f1による右方向のなぞり操作がなされない場合は、ステップＳ４２においてＮＯであると判定されて、処理は再びステップＳ４２に戻され、それ以降の処理が繰り返される。即ち、指f1による右方向のなぞり操作がなされるまで、ステップＳ４２の判定処理が繰り返される。
【０１５２】
その後、指f1による右方向のなぞり操作がなされた場合、ステップＳ４２においてＹＥＳであると判定されて、処理はステップＳ４３に進む。
【０１５３】
ステップＳ４３において、CPU２３は、最前面の特定の画像カードCA1の右側に配置された複数の画像カードCAの重なり部分CAGRで、指f2による右方向のなぞり操作がなされたか否かを判定する。
【０１５４】
指f2による右方向のなぞり操作がなされない場合は、ステップＳ４３においてＮＯであると判定されて、処理はステップＳ４２に戻され、それ以降の処理が繰り返される。即ち、指f2による右方向のなぞり操作がなされるまで、ステップＳ４２，Ｓ４３の判定処理が繰り返される。
【０１５５】
その後、指f2による右方向のなぞり操作がなされた場合、ステップＳ４３においてＹＥＳであると判定されて、処理はステップＳ４４に進む。
【０１５６】
ステップＳ４４において、CPU２３は、デジタル信号処理部１５を制御して、最前面の特定の画像カードCA1を右側の重なり部分CAGRへと移動させ、左側の重なり部分CAGLの画像カードCA2を最前面に移動させる（そのような動画像を表示させる）。即ち、最前面の特定の画像カードCAは、画像カードCA2になる。
【０１５７】
ステップＳ４５において、CPU２３は、最前面の特定の画像カードCA2に、それに対応付けられた画像Ｐ２を表示させる。
【０１５８】
ステップＳ４６において、CPU２３は、画像確認操作を終了したか否かを判定する。
【０１５９】
ユーザが画像確認操作を終了していない場合、ステップＳ４６においてＮＯであると判定されて、処理はステップＳ４２に戻され、それ以降の処理が繰り返される。即ち、ユーザが画像確認操作を継続している限り、ステップＳ４２乃至Ｓ４６のループ処理が繰り返される。
【０１６０】
その後、ユーザが画像確認操作を終了した場合、ステップＳ４６においてＹＥＳであると判定されて、第３画像確認処理は終了する。
【０１６１】
以上、図１３と図１４を参照して、画像確認操作の第３の実施例について説明した。そして、図１５のフローチャートを参照して、第３の実施例に対する第３画像確認処理の一例について説明した。
【０１６２】
次に、図１６と図１７を参照して、画像確認操作の第４の実施例について説明する。そして、図１８のフローチャートを参照して、第４の実施例に対する第４画像確認処理の一例について説明する。
【０１６３】
図１６と図１７の例では、撮像装置の前面（レンズ部１１側）に配置されているタッチパネル２８が使用される。上述したように、タッチパネル２８はタッチスクリーン１８と対向する面に配置されている（図２参照）。
【０１６４】
図１６のＡは、画像確認操作画面の初期表示状態の一例を示している。１枚以上の画像カードCAの群CAGLは、特定の画像カードCA1よりも左に配置され、１枚以上の画像カードCAの群CAGRは、特定の画像カードCA1よりも右に配置される。
【０１６５】
ただし、実世界上のカードの重なりに模擬して、１枚以上の画像カードCAの群CAGLは、特定の画像カードCA1よりも後ろに重ねられて配置され、１枚以上の画像カードCAの群CAGRは、特定の画像カードCA1よりも前に重ねられて配置されているとする。
【０１６６】
中央の特定の画像カードCA1には、それに対応付けられた画像Ｐ１またはそれを示す情報が表示される。例えば図１６の例では、画像Ｐ１が表示されている。なお、以下、画像カードCAには、それに対応付けられた画像Ｐが表示されるとして話を進める。
【０１６７】
ユーザは、画像カードCAの群CAGLが表示されたタッチスクリーン１８と、撮像レンズ４５側のタッチパネル２８を、それぞれ指f1と指f2で右方向のなぞり操作をする。ここで、右方向としたのは、１枚以上の画像カードCAの群CAGLは、特定の画像カードCA1よりも後ろに重ねられて配置され、１枚以上の画像カードCAの群CAGRは、特定の画像カードCA1よりも前に重ねられて配置されているという前提があるからである。右方向とした理由を図１６のＢを参照してさらに説明する。
【０１６８】
図１６のＢは、図１６のＡに示されるなぞり操作と、実世界上の右方向のカード移動動作とを比較するための参考図である。図１６のＢに示されるように、実世界では、カードの上側を保持する左手親指f1と、カードの下側を保持する右手の人指し指等の指f2とにより、右方向のカード移動動作が行われる。かかる右方向のカード移動動作を模した操作が、図１６のＡに示されるなぞり操作なのである。このため、図１６のＡに示されるように、指f1による右方向のなぞり操作は、実世界の指f1による右方向のカード移動動作に対応するので、画像カードCAの前面側に配置されるタッチスクリーン１８に対して行われるのである。これに対して、指f2による右方向のなぞり操作は、実世界の指f2による右方向のカード移動動作に対応するので、画像カードCAの後面側に配置されるタッチパネル２８に対して行われるのである。
【０１６９】
換言すると、複数の画像カードCAの重なり方が逆であることを前提としている場合には、なぞり操作も逆の操作になる。即ち、なぞり操作の方向は左方向になる。具体的には、指f1による左方向のなぞり操作は、画像カードCAの後面側に配置されるタッチパネル２８に対して行われる。これに対して、指f2による左方向のなぞり操作は、画像カードCAの前面側に配置されるタッチスクリーン１８に対して行われる。
【０１７０】
なぞり操作が左方向の場合には、画像カードCAが左方向に送られ、なぞり操作が右方向の場合には、画像カードCAが右方向に送られる。いずれの場合も、中央の特定の画像カードCAが、画像カードCA1から別の画像カードCAに遷移する。中央の特定の画像カードCAには、それに対応付けられた画像Ｐが表示される。これにより、ユーザは、複数の画像カードCAのうちの所望の１枚に対応付けられた画像を確認することができる。
【０１７１】
ただし、以下、上述の如く、画像カードCAが右方向に送られていくことを前提として話を進める。
【０１７２】
図１７を参照して、画像確認操作の第３の実施例についてさらに詳しく説明する。
【０１７３】
タッチスクリーン１８の表示状態が図１７の表示状態で、ユーザは、はじめに画像カードCAの群CAGLを指ｆ1で右方向のなぞり操作をする。続いて、ユーザは、画像カードCAの群CAGRの反対側のタッチパネル２８に対して指ｆ2で右方向のなぞり操作をする。
【０１７４】
このような一連の操作がなされると、図示はしないが、中央の特定の画像カードCAとして配置されていた画像カードCA1は、画像カードCAの群CAGRに移動し、画像カードCA1の次に配置されていた画像カードCA2が、中央の特定の画像カードCAとして配置される。そして、特定の画像カードCA2に対応付けられた画像Ｐ（例えば図１４の画像Ｐ２等）が表示される。
【０１７５】
次に、図１８のフローチャートを参照して、図１６と図１７を用いて説明した画像確認操作の第４の実施例に対する第４画像確認処理の一例を説明する。
【０１７６】
ステップＳ６１において、CPU２３は、デジタル信号処理部１５を制御して、画像確認操作画面の表示状態を、初期表示状態にする。例えば、タッチスクリーン１８の表示状態は、図１６のＡの表示状態になる。
【０１７７】
ステップＳ６２において、CPU２３は、タッチスクリーン１８で、指f1による右方向のなぞり操作がなされたか否かを判定する。
【０１７８】
指f1による右方向のなぞり操作がなされない場合は、ステップＳ６２においてＮＯであると判定されて、処理は再びステップＳ６２に戻され、それ以降の処理が繰り返される。即ち、指f1による右方向のなぞり操作がなされるまで、ステップＳ６２の判定処理が繰り返される。
【０１７９】
その後、指f1による右方向のなぞり操作がなされた場合、ステップＳ６２においてＹＥＳであると判定されて、処理はステップＳ６３に進む。
【０１８０】
ステップＳ６３において、CPU２３は、撮像レンズ４５側のタッチパネル２８で、指f2による右方向のなぞり操作がなされたか否かを判定する。
【０１８１】
指f2による右方向のなぞり操作がなされない場合は、ステップＳ６３においてＮＯであると判定されて、処理はステップＳ６２に戻され、それ以降の処理が繰り返される。即ち、撮像レンズ４５側のタッチパネル２８で指f2による右方向のなぞり操作がなされるまで、ステップＳ６２，Ｓ６３の判定処理が繰り返される。
【０１８２】
その後、撮像レンズ４５側のタッチパネル２８で指f2による右方向のなぞり操作がなされた場合、ステップＳ６３においてＹＥＳであると判定されて、処理はステップＳ６４に進む。
【０１８３】
ステップＳ６４において、CPU２３は、デジタル信号処理部１５を制御して、中央の特定の画像カードCA1を右側の重なり部分CAGRへと移動させ、左側の重なり部分CAGLの画像カードCA2を中央に移動させる（そのような動画像を表示させる）。
【０１８４】
ステップＳ６５において、CPU２３は、中央の特定の画像カードCA2に、それに対応付けられた画像Ｐを表示させる。
【０１８５】
ステップＳ６６において、CPU２３は、画像確認操作を終了したか否かを判定する。
【０１８６】
ユーザが画像確認操作を終了していない場合、ステップＳ６６においてＮＯであると判定されて、処理はステップＳ６２に戻され、それ以降の処理が繰り返される。即ち、ユーザが画像確認操作を継続している限り、ステップＳ６２乃至Ｓ６６のループ処理が繰り返される。
【０１８７】
その後、ユーザが画像確認操作を終了した場合、ステップＳ６６においてＹＥＳであると判定されて、第４画像確認処理は終了する。
【０１８８】
以上、図１６と図１７を参照して、画像確認操作の第４の実施例について説明した。そして、図１８のフローチャートを参照して、第４の実施例に対する第４画像確認処理の一例について説明した。
【０１８９】
次に、図１９乃至図２１を参照して、画像確認操作の第５乃至第７の実施例について説明する。そして、図２２乃至図２４のフローチャートを参照して、第５乃至第７の実施例に対する第５乃至第７画像確認処理の一例について説明する。
【０１９０】
図１９で示される第５の実施例でも、画像確認操作画面の初期表示状態としては図３のＡの状態が採用されているとする。特定の画像カードCA1は複数の画像カードCAの重なりの最前面に配置されている。最前面の特定の画像カードCA1には、それに対応付けられた画像Ｐ１またはそれを示す情報が表示される。例えば図１９の例では、画像Ｐ１が表示されている。なお、以下、画像カードCAには、それに対応付けられた画像Ｐが表示されるとして話を進める。
【０１９１】
ユーザは、最前面の特定の画像カードCA1の任意の領域を、指f2により矢印で示される上方向のなぞり操作をする。すると、図１９のＢに示されるように、特定の画像カードCA1が、複数の画像カードCAの最背面に移動される。そして、画像カードCA1の次に配置されていた画像カードCA2が最前面に移動する。即ち、画像カードCA2が最前面の特定の画像カードCAになる。そして、特定の画像カードCA2には、それに対応付けられた画像Ｐ２が表示されるようになる。
【０１９２】
図２０は、画像確認操作の第６の実施例について説明する図である。即ち、図２０の第６の実施例とは、図１９の第５の実施例に対し、重ねられた複数の画像カードCAの最背面に配置された特定の画像カードCA1を、最前面に移動させる操作の一例である。
【０１９３】
このため、第６の実施例では、画像操作確認画面の初期状態としては、図１９のＢの表示状態が採用されたとして説明する。なお、実際には図３のＡの状態としても同様である。この場合、最前面の特定の画像カードCA2には、それに対応付けられた画像Ｐ２またはそれを示す情報が表示される。例えば図２０の例では、画像Ｐ２が表示されている。なお、以下、画像カードCAには、それに対応付けられた画像Ｐが表示されるとして話を進める。
【０１９４】
図２０のＡに示されるように、ユーザは、最前面に配置された特定の画像カードCA2の任意の領域を、指f2により矢印で示される下方向のなぞり操作をする。すると、図２０のＢに示されるように、最背面に配置されていた画像カードCA1が、複数の画像カードCAの最前面に移動する。即ち、画像カードCA1が最前面の特定の画像カードCAになる。そして、最前面の特定の画像カードCA1には、それに対応付けられた画像Ｐ１が表示されるようになる。
【０１９５】
図２１は、画像確認操作の第７の実施例について説明する図である。即ち、図２１の第７の実施例とは、図２０の第６の実施例と同様に、複数の画像カードCAの最背面に配置された特定の画像カードCA1を最前面に移動させる操作の一例である。
【０１９６】
このため、第７の実施例では、画像操作確認画面の初期状態としては、図１９のＢの表示状態が採用されたとして説明する。なお、実際には図３のＡの状態としても同様である。この場合、最前面の特定の画像カードCA2には、それに対応付けられた画像Ｐ２またはそれを示す情報が表示される。例えば図２１の例では、画像Ｐ２が表示されている。なお、以下、画像カードCAには、それに対応付けられた画像Ｐが表示されるとして話を進める。
【０１９７】
ただし、第７の実施例では、撮像装置の前面（レンズ部１１側）に配置されているタッチパネル２８が使用される。上述したように、タッチパネル２８はタッチスクリーン１８と対向する面に配置されている（図２参照）。
【０１９８】
図２１のＡに示されるように、ユーザは、撮像レンズ４５側のタッチパネル２８の任意の領域を、指f2により矢印で示される上方向のなぞり操作をする。すると、図２１のＢに示されるように、最背面に配置されていた画像カードCA1が、複数の画像カードCAの最前面に移動する。即ち、画像カードCA1が最前面の特定の画像カードCAになる。そして、特定の画像カードCA1には、それに対応付けられた画像Ｐ１が表示されるようになる。
【０１９９】
次に、図２２のフローチャートを参照して、図１９を用いて説明した画像確認操作の第５の実施例に対する第５画像確認処理の一例を説明する。
【０２００】
ステップＳ８１において、CPU２３は、デジタル信号処理部１５を制御して、画像確認操作画面の表示状態を、初期表示状態にする。例えば、タッチスクリーン１８の表示状態は、図３のＡの表示状態になる。
【０２０１】
ステップＳ８２において、CPU２３は、最前面の特定の画像カードCA1の任意の領域で、指f2による上方向のなぞり操作がなされたか否かを判定する。
【０２０２】
指f2による上方向のなぞり操作がなされない場合は、ステップＳ８２においてＮＯであると判定されて、処理は再びステップＳ８２に戻され、それ以降の処理が繰り返される。即ち、指f2による上方向のなぞり操作がなされるまで、ステップＳ８２の判定処理が繰り返される。
【０２０３】
その後、指f2による上方向のなぞり操作がなされた場合、ステップＳ８２においてＹＥＳであると判定されて、処理はステップＳ８３に進む。
【０２０４】
ステップＳ８３において、CPU２３は、デジタル信号処理部１５を制御して、最前面の特定の画像カードCA1を複数の画像カードCAの最背面に移動させる。その結果、画像カードCA1の次に配置されていた画像カードCA2が最前面に移動する。即ち、画像カードCA2が最前面の特定の画像カードCAになる。そして、特定の画像カードCA2には、図１９のＢに示されるように、それに対応付けられた画像Ｐ２が表示されるようになる。
【０２０５】
ステップＳ８４において、CPU２３は、画像確認操作を終了したか否かを判定する。
【０２０６】
ユーザが画像確認操作を終了していない場合、ステップＳ８４においてＮＯであると判定されて、処理はステップＳ８２に戻され、それ以降の処理が繰り返される。即ち、ユーザが画像確認操作を継続している限り、ステップＳ８２乃至Ｓ８４のループ処理が繰り返される。
【０２０７】
その後、ユーザが画像確認操作を終了した場合、ステップＳ８４においてＹＥＳであると判定されて、第５画像確認処理は終了する。
【０２０８】
次に、図２３のフローチャートを参照して、図２０を用いて説明した画像確認操作の第６の実施例に対する第６画像確認処理の一例を説明する。
【０２０９】
ステップＳ１０１において、CPU２３は、デジタル信号処理部１５を制御して、画像確認操作画面の表示状態を、初期表示状態にする。例えば、タッチスクリーン１８の表示状態は、図１９のＢの表示状態になったとする。
【０２１０】
ステップＳ１０２において、CPU２３は、最前面の特定の画像カードCA2の任意の領域で、指f2による下方向のなぞり操作がなされたか否かを判定する。
【０２１１】
指f2による下方向のなぞり操作がなされない場合は、ステップＳ１０２においてＮＯであると判定されて、処理は再びステップＳ１０２に戻され、それ以降の処理が繰り返される。即ち、指f2による下方向のなぞり操作がなされるまで、ステップＳ１０２の判定処理が繰り返される。
【０２１２】
その後、指f2による下方向のなぞり操作がなされた場合、ステップＳ１０２においてＹＥＳであると判定されて、処理はステップＳ１０３に進む。
【０２１３】
ステップＳ１０３において、CPU２３は、デジタル信号処理部１５を制御して、最背面の画像カードCA1を複数の画像カードCAの最前面に移動させる。即ち、画像カードCA1が最前面の特定の画像カードCAになる。そして、図２０のＢに示されるように、最前面の特定の画像カードCA1には、それに対応付けられた画像Ｐ１が表示されるようになる。
【０２１４】
ステップＳ１０４において、CPU２３は、画像確認操作を終了したか否かを判定する。
【０２１５】
ユーザが画像確認操作を終了していない場合、ステップＳ１０４においてＮＯであると判定されて、処理はステップＳ１０２に戻され、それ以降の処理が繰り返される。即ち、ユーザが画像確認操作を継続している限り、ステップＳ１０２乃至Ｓ１０４のループ処理が繰り返される。
【０２１６】
その後、ユーザが画像確認操作を終了した場合、ステップＳ１０４においてＹＥＳであると判定されて、第６画像確認処理は終了する。
【０２１７】
次に、図２４のフローチャートを参照して、図２１を用いて説明した画像確認操作の第７の実施例に対する第７画像確認処理の一例を説明する。
【０２１８】
ステップＳ１２１において、CPU２３は、デジタル信号処理部１５を制御して、画像確認操作画面の表示状態を、初期表示状態にする。例えば、タッチスクリーン１８の表示状態は、図１９のＢの表示状態になったとする。
【０２１９】
ステップＳ１２２において、CPU２３は、撮像レンズ４５側のタッチパネル２８の任意の領域で、指f2による上方向のなぞり操作がなされたか否かを判定する。
【０２２０】
指f2による上方向のなぞり操作がなされない場合は、ステップＳ１２２においてＮＯであると判定されて、処理は再びステップＳ１２２に戻され、それ以降の処理が繰り返される。即ち、指f2による上方向のなぞり操作がなされるまで、ステップＳ１２２の判定処理が繰り返される。
【０２２１】
その後、撮像レンズ４５側のタッチパネル２８の任意の領域で、指f2による上方向のなぞり操作がなされた場合、ステップＳ１２２においてＹＥＳであると判定されて、処理はステップＳ１２３に進む。
【０２２２】
ステップＳ１２３において、CPU２３は、デジタル信号処理部１５を制御して、最背面の画像カードCA1を複数の画像カードCAの最前面に移動させる。即ち、画像カードCA1が最前面の特定の画像カードCAになる。そして、図２１のＢに示されるように、最前面の特定の画像カードCA1には、それに対応付けられた画像Ｐ１が表示されるようになる。
【０２２３】
ステップＳ１２４において、CPU２３は、画像確認操作を終了したか否かを判定する。
【０２２４】
ユーザが画像確認操作を終了していない場合、ステップＳ１２４においてＮＯであると判定されて、処理はステップＳ１２２に戻され、それ以降の処理が繰り返される。即ち、ユーザが画像確認操作を継続している限り、ステップＳ１２２乃至Ｓ１２４のループ処理が繰り返される。
【０２２５】
その後、ユーザが画像確認操作を終了した場合、ステップＳ１２４においてＹＥＳであると判定されて、第７画像確認処理は終了する。
【０２２６】
以上、図１９乃至図２１を参照して、画像確認操作の第５乃至第７の実施例について説明した。そして、図２２乃至図２４のフローチャートを参照して、第５乃至第７の実施例に対する第５乃至第７画像確認処理の一例について説明した。
【０２２７】
もっとも、本実施の形態の画像確認操作は、上述した例に限定されない。例えば、図２５は、本実施の形態の画像確認操作の実施例を説明する図であって、図３乃至図２３とは異なる例について説明する図である。
【０２２８】
図２５は、画像確認操作画面の初期表示状態の一例を示している。本実施の形態では、複数の画像カードCAが特定の画像カードCA1の左右に折り曲げて重ねられたように（アコーディオンのように）表示される。
【０２２９】
ユーザは、複数の画像カードCAの折り曲げて重ねられた部分の領域を指f1または指f2でなぞり操作をする。これにより、中央に配置されている特定の画像カードCA1が左右どちらかの複数の画像カードCAの折り曲げて重ねられた部分に移動していく（図２５の実施例では左方向）。その後、図示はしないが、次に配置されていた画像カードCA2が中央に移動される。即ち、画像カードCA2が、中央の特定の画像カードCAになる。これにより、特定の画像カードCA2に対応付けられた画像Ｐ（図１４のＢの画像Ｐ２等）が表示される。このように、なぞり操作をすることにより、複数の画像カードCAが折り曲げて重ねられた部分から、各画像カードCAが中央に順次移動されていく。
【０２３０】
以上、画像確認操作の各種例と、それらに対応する画像確認処理の各種例について説明した。
【０２３１】
次に、タッチスクリーン１８によるGUIの操作として、複数の画像の中から特定の画像を選択する操作（以下、画像選択操作と称する）の各種例について説明する。
【０２３２】
はじめに、図２６を参照して画像選択操作の第１の実施例について説明する。
【０２３３】
画像選択操作でも、画像確認操作と同様の画像確認画面が利用される。例えば図２６のＡは、図３のＡと同様の画像確認操作画面を示している。図２６のＢは、図１３のＡと同様の画像確認操作画面を示している。
【０２３４】
従って、特定の画像カードCA1を選択するまでの操作は、画像確認操作と基本的に同様の操作となる。
【０２３５】
即ち、例えば画像確認操作画面の初期表示状態が図２６のＡの状態である場合、ユーザは、複数の画像カードCAの重なり部分の領域を指f1でなぞり操作をする。特定の画像カードCA1上で一定時間指f1の接触が維持されると、特定の画像カードCA1に対応付けられた画像Ｐを示す情報が表示される（図４乃至図６参照）。即ち、ここまでは、画像確認操作の第１の実施例と同様の操作である。一方、画像選択操作としては、ユーザは、特定の画像カードCA1上で一定時間指f1の接触を維持した後、指f1をリリースすればよい。これにより、タッチスクリーン１８の表示状態が、図２６のＡの画像確認操作画面の状態から図２６のＣの表示状態に遷移する。即ち、図２６のＣに示されるように、タッチスクリーン１８には、画像Ｐが全画面表示される。
【０２３６】
また例えば、画像確認操作画面の初期表示状態が図２６のＢの状態である場合、ユーザは、複数の画像カードCAの重なり部分の左右の領域を指f1と指f2とでそれぞれなぞり操作をする。この間、指f1と指f2の接触が維持されると、最前面の特定の画像カードCA1に対応付けられた画像Ｐ（なお、図１５の例では、最前面の特定の画像カードCA2に対応付けられた画像Ｐ２であるが、ここでは、図２６のＡの記載にあわせる）が表示される。即ち、ここまでは、画像確認操作の第３の実施例と同様の操作である。一方、画像選択操作としては、ユーザは、指f1と指f2のうち少なくとも一方をリリースすればよい。これにより、タッチスクリーン１８の表示状態が、図２６のＢの画像確認操作画面の状態から図２６のＣの表示状態に遷移する。即ち、図２６のＣに示されるように、タッチスクリーン１８には、リリースされる直前に最前面であった特定の画像カードCA1に対応付けられた画像Ｐが全画面表示される。
【０２３７】
このように、画像確認操作と画像選択操作とは一連の操作として実行できる。以下、かかる一連の操作を、画像確認／選択操作と称する。即ち、図２６のＡと図２６のＣとを用いて、画像確認／選択操作の実施例を説明したことになる。また、図２６のＢと図２６のＣとを用いて、画像確認／選択操作の別の実施例を説明したことになる。以下、前者の実施例を第１Ａの実施例と称し、後者の実施例を第１Ｂの実施例と称する。
【０２３８】
次に、画像確認／選択操作の第１Ａ，第２Ａの各実施例に対して、図１の撮像装置が実行する処理について説明する。なお、画像確認／選択操作に対して撮像装置が実行する処理を、以下、画像確認／選択処理と称する。特に、本実施の形態の画像確認/選択操作のうちの第Ｋの実施例（Ｋは、１Ａ,１Ｂ，または２以上の整数値）の操作に対する画像確認／選択処理を、第Ｋ画像確認／選択処理と称する。
【０２３９】
図２７は、第１Ａ画像確認／選択処理の一例を説明するフローチャートである。
【０２４０】
撮像装置の動作状態が、再生モードに遷移すると、第１Ａ画像確認／選択処理が開始される。
【０２４１】
ステップＳ１４１において、CPU２３は、デジタル信号処理部１５を制御して、画像確認操作画面の表示状態を、初期表示状態にする。例えば、タッチスクリーン１８の表示状態は、図２６のＡの表示状態になる。
【０２４２】
ステップＳ１４２において、CPU２３は、複数の画像カードCAの重なり部分でなぞり操作がなされたか否かを判定する。
【０２４３】
なぞり操作がなされていない場合、ステップＳ１４２においてＮＯであると判定されて、処理はステップＳ１４２に戻され、それ以降の処理が繰り返し実行される。即ち、なぞり操作がなされるまでの間、ステップＳ１４２の判定処理が繰り返し実行される。
【０２４４】
その後、なぞり操作がなされた場合、ステップＳ１４２においてＹＥＳであると判定されて、処理はステップＳ１４３に進む。
【０２４５】
ステップＳ１４３において、CPU２３は、一定時間特定の画像カードCA1が指f1により接触されているか否かを判定する。
【０２４６】
一定時間特定の画像カードCA1に指f1が接触していない場合、即ち、指f1が移動している場合、ステップＳ１４３においてＮＯであると判定されて、処理はステップＳ１４３に戻され、それ以降の処理が繰り返し実行される。即ち、指f1が移動している間、ステップＳ１４３の判定処理が繰り返し実行される。
【０２４７】
その後、指f1が停止し、一定時間特定の画像カードCA1に指f1が接触し続けた場合、ステップＳ１４３においてＹＥＳであると判定されて、処理はステップＳ１４４に進む。
【０２４８】
ステップＳ１４４において、CPU２３は、指f1がリリースされたか否かを判定する。即ち、CPU２３は、タッチスクリーン１８を構成するタッチパネル１６から座標信号が入力されなくなった場合、指f1がリリースされたと判定することができる。
【０２４９】
そこで、CPU２３は、座標信号が入力され続けている限り、ステップＳ１４４においてＮＯであると判定して、処理をステップＳ１４５に進める。
【０２５０】
ステップＳ１４５において、CPU２３は、デジタル信号処理部１５を制御して、特定の画像カードCA1に対応付けられた画像Ｐを示す情報を表示させる。
【０２５１】
即ち、ユーザによるなぞり操作が一定時間停止した場合、CPU２３は、ユーザの指f1によって一定時間接触されている特定の画像カードCA1を認識する。そして、CPU２３は、デジタル信号処理部１５を制御して、タッチスクリーン１８の表示状態を、例えば図３のＡの表示状態から図４のＡ，図５，図６等の表示状態に遷移させる。そして、CPU２３は、デジタル信号処理部１５を制御して、例えば図４のＢやＣに示されるような画像Ｐの一部分PP、図５に示されるような画像ＰのサムネイルPS、もしくは、図６に示されるような画像Ｐの特徴画像PCを、特定の画像カードCA1の所定領域に表示させる。
【０２５２】
ステップＳ１４６において、CPU２３は、画像確認操作を終了したか否かを判定する。
【０２５３】
ユーザが画像確認操作を終了していない場合、ステップＳ１４６においてＮＯであると判定されて、処理はステップＳ１４１に戻され、それ以降の処理が繰り返される。即ち、ユーザが画像確認操作を終了せず、かつ後述する画像選択操作も終了しない限り、ステップＳ１４１乃至Ｓ１４６または後述するステップＳ１４１乃至Ｓ１４８のループ処理が繰り返される。
【０２５４】
その後、ユーザが画像確認操作を終了した場合、ステップＳ１４６においてＹＥＳであると判定されて、第１Ａ画像確認／選択処理は終了する。
【０２５５】
これに対して、ステップＳ１４３において一定時間特定の画像カードCA1が接触されていると判定されて、ステップＳ１４４において指f1がリリースされたと判定された場合、即ち、指f1の座標信号の入力が途切れた場合、処理はステップＳ１４７に進む。
【０２５６】
ステップＳ１４７において、CPU２３は、デジタル信号処理部１５を制御して、特定の画像カードCA1に対応付けられた画像Ｐをタッチスクリーン１８に全画面表示させる。即ち、図２６の例では、タッチスクリーン１８の表示状態が、図２６のＡの画像確認操作画面の状態から図２６のＣの表示状態に遷移する。
【０２５７】
ステップＳ１４８において、CPU２３は、画像選択操作を終了したか否かを判定する。
【０２５８】
ユーザが画像選択操作を終了していない場合、ステップＳ１４８においてＮＯであると判定されて、処理はステップＳ１４１に戻され、それ以降の処理が繰り返される。即ち、ユーザが画像選択操作を終了せず、かつ画像確認操作も終了しない限り、ステップＳ１４１乃至Ｓ１４６またはステップＳ１４１乃至Ｓ１４８のループ処理が繰り返される。
【０２５９】
その後、ユーザが画像選択操作を終了した場合、ステップＳ１４８においてＹＥＳであると判定されて、第１Ａ画像確認／選択処理は終了する。
【０２６０】
図２８と図２９は、第１Ｂ画像確認／選択処理の一例を説明するフローチャートである。
【０２６１】
撮像装置の動作状態が、再生モードに遷移すると、第１Ｂ画像確認／選択処理が開始される。
【０２６２】
図２８のステップＳ１６１において、CPU２３は、デジタル信号処理部１５を制御して、画像確認操作画面の表示状態を、初期表示状態にする。例えば、タッチスクリーン１８の表示状態は、図２６のＢの表示状態になる。
【０２６３】
ステップＳ１６２において、CPU２３は、最前面の画像カードCA1の左側に配置された複数の画像カードCAの重なり部分CAGLで、指f1による右方向のなぞり操作がなされたか否かを判定する（図１３参照）。
【０２６４】
指f1による右方向のなぞり操作がなされない場合は、ステップＳ１６２においてＮＯであると判定されて、処理は再びステップＳ１６２に戻され、それ以降の処理が繰り返される。即ち、指f1による右方向のなぞり操作がなされるまで、ステップＳ１６２の判定処理が繰り返される。
【０２６５】
その後、指f1による右方向のなぞり操作がなされた場合、ステップＳ１６２においてＹＥＳであると判定されて、処理はステップＳ１６３に進む。
【０２６６】
ステップＳ１６３において、CPU２３は、最前面の特定の画像カードCA1の右側に配置された複数の画像カードCAの重なり部分CAGRで、指f2による右方向のなぞり操作がなされたか否かを判定する（図１３参照）。
【０２６７】
指f2による右方向のなぞり操作がなされない場合は、ステップＳ１６３においてＮＯであると判定されて、処理はステップＳ１６２に戻され、それ以降の処理が繰り返される。即ち、指f2による右方向のなぞり操作がなされるまで、ステップＳ１６２，Ｓ１６３の判定処理が繰り返される。
【０２６８】
その後、指f2による右方向のなぞり操作がなされた場合、ステップＳ１６３においてＹＥＳであると判定されて、処理はステップＳ１６４に進む。
【０２６９】
ステップＳ１６４において、CPU２３は、デジタル信号処理部１５を制御して、最前面の特定の画像カードCA1を右側の重なり部分CAGRへと移動させ、左側の重なり部分CAGLの画像カードCA2を最前面に移動させる（図１４参照）。
【０２７０】
ステップＳ１６５において、CPU２３は、最前面の特定の画像カードCA2に、それに対応付けられた画像Ｐ（図１４の画像Ｐ２等）を表示させる（図１４参照）。
【０２７１】
図２９のステップＳ１６７において、CPU２３は、指がリリースされたか否かを判定する。
【０２７２】
指f1と指f2とのうちの少なくとも一方がリリースされた場合、ステップＳ１６７において、ＹＥＳであると判定されて、処理はステップＳ１６８に進む。
【０２７３】
ステップＳ１６８において、CPU２３は、デジタル信号処理部１５を制御して、特定の画像カードCA2に対応付けられた画像Ｐをタッチスクリーン１８に全画面表示させる。即ち、図２６の例では、タッチスクリーン１８の表示状態が、図２６のＢの画像確認操作画面の状態から図２６のＣの表示状態に遷移する。
【０２７４】
ステップＳ１６９において、CPU２３は、画像選択操作を終了したか否かを判定する。
【０２７５】
ユーザが画像選択操作を終了していない場合、ステップＳ１６９においてＮＯであると判定されて、処理は図２８のステップＳ１６１に戻され、それ以降の処理が繰り返される。
【０２７６】
これに対して、ユーザが画像選択操作を終了した場合、ステップＳ１６９においてＹＥＳであると判定されて、第１Ｂ画像確認／選択処理は終了する。
【０２７７】
また、ステップＳ１６７の処理時点で、指f1と指f2との何れもがタッチスクリーン１８に接触され続けている場合、ステップＳ１６７において、ＮＯであると判定されて、処理は図２８のステップＳ１６６に進む。
【０２７８】
ステップＳ１６６において、CPU２３は、画像確認操作を終了したか否かを判定する。
【０２７９】
ユーザが画像確認操作を終了していない場合、ステップＳ１６６においてＮＯであると判定されて、処理はステップＳ１６２に戻され、それ以降の処理が繰り返される。
【０２８０】
これに対して、ユーザが画像確認操作を終了した場合、ステップＳ１６６においてＹＥＳであると判定されて、第１Ｂ画像確認／選択処理は終了する。
【０２８１】
以上、図２６を参照して、画像確認／選択操作の第１Ａ，第１Ｂの実施例について説明した。そして、図２７および図２８，図２９の各フローチャートを参照して、第１の実施例に対する第１Ａ，第１Ｂ画像確認／選択処理の各例について説明した。
【０２８２】
次に、図３０と図３１を参照して、画像確認／選択操作の第２の実施例について説明する。そして、図３２と図３３のフローチャートを参照して、第２の実施例に対する第２画像確認／選択処理の一例について説明する。
【０２８３】
第２の実施例でも、画像確認操作画面の初期表示状態としては図２６のＢの状態が採用されているとする。よって、図２６のＢの状態で、ユーザは、複数の画像カードCAの重なり部分の左右の領域を指f1と指f2とでそれぞれなぞり操作をする。この間、指f1と指f2の接触が維持されると、最前面の特定の画像カードCA1に対応付けられた画像Ｐを示す情報が表示される（図１６参照）。即ち、ここまでは、画像確認操作の第３の実施例と同様の操作である。
【０２８４】
一方、画像選択操作としては、ユーザは、最前面の特定の画像カードCA1の任意の領域を始点にして、指f2により矢印で示される上方向のなぞり操作をすればよい。これにより、タッチスクリーン１８の表示状態が、図３０Ａの画像確認操作画面の状態から図３０のＢの表示状態に遷移する。即ち、図３０のＢに示されるように、タッチスクリーン１８には、最前面の特定の画像カードCA1に対応付けられた画像Ｐが全画面表示される。
【０２８５】
なお、タッチスクリーン１８の表示状態が画像確認操作画面の状態から画像Ｐの全画面表示の状態に遷移するとき、アニメーションにより、画像Ｐがタッチスクリーン１８の下方からタッチスクリーン１８の全画面にスライドインして表示させるようにしてもよい。
【０２８６】
なお、図３０のＣは、図３０のＡに示される上下方向のなぞり操作と、実世界の複数のカードの中から特定の１枚を上方向に抜き出す動作（以下、カード抜き出し動作と称する）とを比較するための参考図である。図３０のＣに示される左手親指f1によるカード抜き出し動作が、図３０のＡに示される指f2による上下方向のなぞり操作に対応する。
【０２８７】
なお、図３０の例では、カード抜き出し動作となぞり操作とで用いる指は異なっているが、いずれも指f1,指f2のいずれを用いてもよいことはいうまでもない。より一般的に言えば、なぞり操作等操作で使う指は、特に限定されない。このことは、本明細書中の全ての操作について同様にあてはまることである。即ち、本明細書中の指f1,指f2による操作は、対応する図面の記載に併せた例示に過ぎない。
【０２８８】
このように、ユーザは、タッチスクリーン１８上で、実世界のカードを模した画像カードCAを用いて、実世界の操作を模した操作をすることができるので、直感的に操作をすることができる。
【０２８９】
さらに、タッチスクリーン１８の表示状態が図３１のＡに示される状態の場合、即ち、画像Ｐの全画面表示の状態の場合、ユーザは、画像Ｐの任意の領域を始点にして、指f2により矢印で示される下方向のなぞり操作をすればよい。これにより、タッチスクリーン１８の表示状態が、図３１のＢの画像確認操作画面の状態に再遷移する。
【０２９０】
なお、タッチスクリーン１８の表示状態が画像Ｐの全画面表示の状態から画像確認操作画面の状態に再遷移するとき、アニメーションにより、画像Ｐがタッチスクリーン１８の上方から最前面の特定の画像カードCA1にスライドインして表示されるようにしてもよい。
【０２９１】
次に、図３２，図３３のフローチャートを参照して、図３０と図３１を用いて説明した画像確認／選択操作の第２の実施例に対する処理、即ち、第２画像確認／選択処理の一例について説明する。
【０２９２】
図３２のステップＳ１８１乃至Ｓ１８６の各処理は、図２８のステップＳ１６１乃至Ｓ１６６の各処理と基本的に同様の処理である。よって、これらの各処理の説明は省略する。
【０２９３】
そこで、以下、ステップＳ１８５の処理で、最前面の特定の画像カードCA1（図３０と図３１の記載にあわせる）に、それに対応付けられた画像Ｐが表示された（図１４参照）後の処理について説明していく。かかるステップＳ１８５の処理が終了すると、処理は図３３のステップＳ１８７に進む。
【０２９４】
ステップＳ１８７において、CPU２３は、最前面の特定の画像カードCA1の任意の領域を始点とする上方向のなぞり操作がなされたか否かを判定する。
【０２９５】
上方向のなぞり操作がなされない場合は、ステップＳ１８７においてＮＯであると判定されて、処理は再びステップＳ１８７に戻され、それ以降の処理が繰り返される。即ち、上方向のなぞり操作がなされるまで、ステップＳ１８７の判定処理が繰り返される。
【０２９６】
その後、上方向のなぞり操作がなされた場合、ステップＳ１８７においてＹＥＳであると判定されて、処理はステップＳ１８８に進む。
【０２９７】
ステップＳ１８８において、CPU２３は、デジタル信号処理部１５を制御して、画像Ｐをタッチスクリーン１８に全画面表示する。即ち、タッチスクリーン１８の表示状態が、図３０のＡの画像確認操作画面の状態から図３０のＢの表示状態に遷移する
【０２９８】
ステップＳ１８９において、CPU２３は、画像Ｐの任意の領域を始点とする下方向のなぞり操作がなされたか否かを判定する。
【０２９９】
下方向のなぞり操作がなされない場合は、ステップＳ１８９においてＮＯであると判定されて、処理は再びステップＳ１８９に戻され、それ以降の処理が繰り返される。即ち、下方向のなぞり操作がなされるまで、ステップＳ１８９の判定処理が繰り返される。
【０３００】
その後、下方向のなぞり操作がなされた場合、ステップＳ１８９においてＹＥＳであると判定されて、処理はステップＳ１９０に進む。
【０３０１】
ステップＳ１９０において、CPU２３は、デジタル信号処理部１５を制御して、画像確認操作画面表示に切り替える。即ち、タッチスクリーン１８の表示状態が、図３１のＡの画像Ｐの全画面表示の状態から、図３１のＢの画像確認操作画面の状態に再遷移する。
【０３０２】
ステップＳ１９１において、CPU２３は、画像選択操作を終了したか否かを判定する。
【０３０３】
ユーザが画像選択操作を終了していない場合、ステップＳ１９１においてＮＯであると判定されて、処理は図３２のステップＳ１８６に戻され、それ以降の処理が繰り返される。
【０３０４】
これに対して、ユーザが画像選択操作を終了した場合、ステップＳ１９１においてＹＥＳであると判定されて、第２画像確認／選択処理は終了する。
【０３０５】
なお、画像確認／選択操作の第２の実施例を説明するために図３０と図３１を用いたため、上述の説明では、画像確認操作画面の初期表示状態の一例として図２６のＢの状態が採用されていた。しかしながら、画像確認／選択操作の第２の実施例を実現するための画像確認操作画面の初期表示状態は、図２６のＢの状態に特に限定されない。
【０３０６】
例えば、画像確認操作画面の初期表示状態の一例として、図２６のＡの状態、即ち、図３のＡの状態を採用することができる。
【０３０７】
この場合、ユーザは、複数の画像カードCAの重なり部分の領域を指f1でなぞり操作をする。特定の画像カードCA1上で一定時間指f1の接触が維持されると、特定の画像カードCA1に対応付けられた画像Ｐを示す情報が表示される（図４乃至図６参照）。即ち、ここまでは、画像確認操作の第１の実施例と同様の操作である。
【０３０８】
一方、画像選択操作としては、ユーザは、特定の画像カードCA1の任意の領域を始点にして、指f2により矢印で示される上方向のなぞり操作をすればよい。これにより、タッチスクリーン１８の表示状態が、図３４の画像確認操作画面の状態から図３０のＢの表示状態に遷移する。即ち、図３０のＢに示されるように、タッチスクリーン１８には、最前面の特定の画像カードCA1に対応付けられた画像Ｐが全画面表示される。
【０３０９】
また例えば、画像確認操作画面の初期表示状態の一例として、図７のＡの状態を採用することができる。
【０３１０】
この場合、ユーザは、図７のＡの矢印で示される範囲、即ち、複数の画像カードCAの重なり部分の上部の領域で、指f1によるなぞり操作をする。
【０３１１】
ユーザが、画像カードCAの重なり部分の上部の領域を、指f1でなぞり操作をしているときに、指f1の接触が、特定の画像カードCA上で一定時間維持されると、タッチスクリーン１８の表示状態が、図７のＡの状態から図７のＢの状態に遷移する。即ち、特定の画像カードCA1に対応付けられた画像Ｐを示す情報が表示される。ここまでは、画像確認操作の第１の実施例と同様の操作である。
【０３１２】
一方、画像選択操作としては、ユーザは、特定の画像カードCA1の任意の領域を始点にして、指f2により矢印で示される上方向のなぞり操作をすればよい。これにより、タッチスクリーン１８の表示状態が、図３５の画像確認操作画面の状態から図３０のＢの表示状態に遷移する。即ち、図３０のＢに示されるように、タッチスクリーン１８には、最前面の特定の画像カードCA1に対応付けられた画像Ｐが全画面表示される。
【０３１３】
以上、画像確認／選択操作の各種例と、それらに対応する画像確認／選択処理の各種例について説明した。
【０３１４】
なお、上述した例では、画像選択操作に対して割り当てられた機能は、選択された画像Ｐの全画面表示の機能であった。しかしながら、画像選択操作に対して割り当てることが可能な機能は、上述した例に特に限定されない。
【０３１５】
例えば、画像選択操作に対して、画像Ｐの削除機能を割り当てることができる。なお、以下、画像選択操作に対して、画像Ｐの削除機能が割り当てられている場合、その画像選択操作を、画像削除操作と称する。
【０３１６】
具体的には例えば、画像確認操作画面の初期表示状態の一例としては図２６のＢの状態が採用されているとする。よって、図２６のＢの状態で、ユーザは、複数の画像カードCAの重なり部分の左右の領域を指f1と指f2とでそれぞれなぞり操作をする。この間、指f1と指f2の接触が維持されると、最前面の特定の画像カードCA1に対応付けられた画像Ｐを示す情報が表示される（図１６参照）。即ち、ここまでは、画像確認操作の第３の実施例と同様の操作である。
【０３１７】
一方、画像削除操作としては、図３６のＡに示されるように、ユーザは、最前面の特定の画像カードCA1の任意の領域を始点にして、指f2により矢印で示される下方向のなぞり操作をすればよい。これにより、図３６のＢに示されるように、最前面の特定の画像カードCA1に対応付けられた画像Ｐが削除される。
【０３１８】
図３７は、画像削除操作に対する撮像装置の処理（以下、画像削除処理と称する）の一例について説明するフローチャートである。
【０３１９】
画像確認操作画面の初期表示状態の一例としては図２６のＢの状態が採用されている場合には、画像確認処理として、例えば図３２のステップＳ１８１乃至Ｓ１８６の各処理が適宜実行される。そして、ステップＳ１８５の処理で、最前面の特定の画像カードCA1（図３６の記載にあわせる）に、それに対応付けられた画像Ｐが表示されると（図１４参照）、図３７の画像削除処理が開始される。
【０３２０】
ステップＳ２０１において、CPU２３は、最前面の特定の画像カードCA1の任意の領域を始点とする下方向のなぞり操作がなされたか否かを判定する。
【０３２１】
下方向のなぞり操作がなされない場合は、ステップＳ２０１においてＮＯであると判定されて、処理はステップＳ２０４に進む。ステップＳ２０４において、CPU２３は、画像確認操作の状態を続ける。これにより、画像削除処理は終了する。これにより、ユーザは、画像確認操作を行うことができ、それに伴い、CPU２３は、図３２のステップＳ１８１乃至Ｓ１８６の各処理を実行する。
【０３２２】
これに対して、下方向のなぞり操作がなされた場合、ステップＳ２０１においてＹＥＳであると判定されて、処理はステップＳ２０２に進む。
【０３２３】
ステップＳ２０２において、CPU２３は、デジタル信号処理部１５を制御して、下方にスライドさせた最前面の特定の画像カードCA1に対応する画像Ｐに対して削除処理を実行する。
【０３２４】
ステップＳ２０３において、CPU２３は、デジタル信号処理部１５を制御して、画像確認操作画面表示に切り替える。これにより、画像削除処理は終了する。これにより、ユーザは、画像確認操作を行うことができ、それに伴い、CPU２３は、図３２のステップＳ１８１乃至Ｓ１８６の各処理を実行する。
【０３２５】
以上、画像選択操作に対して、画像Ｐの削除機能を割り当てる例について説明した。
【０３２６】
その他例えば、画像選択操作に対して、画像Ｐをお気に入り画像に登録したりシェア画像に登録するといった登録機能を割り当てることができる。なお、以下、画像選択操作に対して、画像Ｐの登録機能が割り当てられている場合、その画像選択操作を、画像登録操作と称する。
【０３２７】
具体的には例えば、画像確認操作画面の初期表示状態の一例としては図２６のＢの状態が採用されているとする。よって、図２６のＢの状態で、ユーザは、複数の画像カードCAの重なり部分の左右の領域を指f1と指f2とでそれぞれなぞり操作をする。この間、指f1と指f2の接触が維持されると、最前面の特定の画像カードCA1に対応付けられた画像Ｐを示す情報が表示される（図１６参照）。即ち、ここまでは、画像確認操作の第３の実施例と同様の操作である。
【０３２８】
一方、画像登録操作としては、図３８のＡに示されるように、ユーザは、最前面の特定の画像カードCA1の任意の領域を始点にして、指f2により矢印で示される上方向のなぞり操作をすればよい。これにより、図３８のＢに示されるように、最前面の特定の画像カードCA1に対応付けられた画像Ｐが、お気に入り画像やシェア画像に登録される。
【０３２９】
図３７は、画像登録操作に対する撮像装置の処理（以下、画像登録処理と称する）の一例について説明するフローチャートである。
【０３３０】
画像確認操作画面の初期表示状態の一例としては図２６のＢの状態が採用されている場合には、画像確認処理として、例えば図３２のステップＳ１８１乃至Ｓ１８６の各処理が適宜実行される。そして、ステップＳ１８５の処理で、最前面の特定の画像カードCA1（図３６の記載にあわせる）に、それに対応付けられた画像Ｐが表示されると（図１４参照）、図３９の画像登録処理が開始される。
【０３３１】
ステップＳ２２１において、CPU２３は、最前面の特定の画像カードCA1の任意の領域を始点とする上方向のなぞり操作がなされたか否かを判定する。
【０３３２】
上方向のなぞり操作がなされない場合は、ステップＳ２２１においてＮＯであると判定されて、処理はステップＳ２２４に進む。ステップＳ２２４において、CPU２３は、画像確認操作の状態を続ける。これにより、画像登録処理は終了する。これにより、ユーザは、画像確認操作を行うことができ、それに伴い、CPU２３は、図３２のステップＳ１８１乃至Ｓ１８６の各処理を実行する。
【０３３３】
これに対して、上方向のなぞり操作がなされた場合、ステップＳ２２１においてＹＥＳであると判定されて、処理はステップＳ２２２に進む。
【０３３４】
ステップＳ２２２において、CPU２３は、デジタル信号処理部１５を制御して、上方にスライドさせた最前面の特定の画像カードCA1に対応する画像Ｐに対して登録処理を実行する。これにより、画像Ｐが、お気に入り画像やシェア画像に登録される。
【０３３５】
ステップＳ１２３において、CPU２３は、デジタル信号処理部１５を制御して、画像確認操作画面表示に切り替える。これにより、画像削除処理は終了する。これにより、ユーザは、画像確認操作を行うことができ、それに伴い、CPU２３は、図３２のステップＳ１８１乃至Ｓ１８６の各処理を実行する。
【０３３６】
以上の画像削除操作や画像登録操作等の操作を、画像カードCAのスライド方向の視点でまとめると、次のようになる。即ち、特定の画像カードCA1が右方向にスライドする場合（右方向のなぞり操作がなされた場合）、画像確認処理が行われ、特定の画像カードCA1は右方向に送られ、次の画像カードCA2が前面に表示される。また、特定の画像カードCA1が下方向にスライドする場合（下方向のなぞり操作がなされた場合）、画像削除処理が行われ、特定の画像カードCA1に対応する画像Ｐが削除される。また、特定の画像カードCA1が上方向にスライドする場合（上方向のなぞり操作がなされた場合）、画像登録処理が行われ、特定の画像カードCA1に対応する画像Ｐが、お気に入り画像やシェア画像に登録される。
【０３３７】
このように、画像カードCAのスライド方向には、特定の意味を持たせることができる。これにより、ユーザは、より直感的に各種操作を行い、対応する機能を撮像装置に発揮させることができるようになる。
【０３３８】
なお、画像カードCAのスライド方向は、特に限定されない。
【０３３９】
例えば、図４０のＡに示されるように、画像Ｐを登録するためのアイコンＩ１（以下、登録アイコンＩ１）が、タッチスクリーン１８の左上の領域に表示され、画像Ｐを削除するためのアイコンＩ２（以下、削除アイコンＩ２）が、タッチスクリーン１８の右上の領域に表示されているとする。
【０３４０】
この場合、ユーザは、例えば図４０のＢに示されるように、最前面の特定の画像カードCA1の任意の領域を始点にして、指f2により矢印で示される右斜め上方向のなぞり操作をして、削除アイコンＩ２の近辺で指f2をリリースする。すると、最前面の特定の画像カードCA1に対応付けられた画像Ｐが削除される。
【０３４１】
また例えば、図示はしないが、ユーザは、最前面の特定の画像カードCA1の任意の領域を始点にして、指f2により左斜め上方向のなぞり操作をして、登録アイコンＩ１の近辺で指f2をリリースする。すると、最前面の特定の画像カードCA1に対応付けられた画像Ｐは、お気に入り画像やシェア画像に登録される。
【０３４２】
上述の例では、画像カードCAのスライド方向に対して、削除機能と登録機能とが割り当てられた。しかしながら、上述の如く、画像カードCAのスライド方向に対して割り当てる機能は特に限定されない。
【０３４３】
例えば図４１に示されるように、それぞれ異なる第１機能乃至第３機能を用意し、画像カードCAの左斜め上のスライド方向に対して第１機能を、画像カードCAの垂直上のスライド方向に対して第２機能を、画像カードCAの右斜め上のスライド方向に対して第３機能を、それぞれ割り当てることも容易に可能である。
【０３４４】
ところで、上述した一連の処理は、ハードウエアにより実行させることもできるが、ソフトウエアにより実行させることができる。
【０３４５】
この場合、図１の撮像装置が実行してもよいことは勿論のこと、その他例えば、図４２に示されるパーソナルコンピュータが実行してもよい。
【０３４６】
図４２において、CPU１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０３４７】
CPU１０１、ROM１０２、およびRAM１０３は、バス１０４を介して相互に接続されている。このバス１０４にはまた、入出力インタフェース１０５も接続されている。
【０３４８】
入出力インタフェース１０５には、キーボード、マウスなどよりなる入力部１０６、出力部１０７、ハードディスクなどより構成される記憶部１０８、モデムおよびターミナルアダプタなどより構成される通信部１０９が接続されている。通信部１０９は、インターネットを含むネットワークを介して他の装置（図示せず）との間で行う通信を制御する。
【０３４９】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【０３５０】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０３５１】
このようなプログラムを含む記録媒体は、図１または図４２に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア（パッケージメディア）１１１（図１４）により構成されるだけでなく、装置本体に予め組み込まれた状態でユーザに提供される、プログラムが記録されている図１のプログラムROM２６、図４２のROM１０２、記憶部１０８に含まれるハードディスクなどで構成される。
【０３５２】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０３５３】
また、以上、本発明が適用された情報処理装置により表示が制御される表示装置として、液晶表示パネル１７といった液晶表示装置について説明してきた。ただし、本発明は、液晶表示パネルのみならず、次のような表示装置にも適用可能である。即ち、動画像を構成するフレームやフィールドといった単位（以下、かかる単位をコマと称する）毎に表示が指示される表示装置であって、所定時間の間、１コマを構成する複数の画素が表示素子により構成されており、それら表示素子のうちの少なくとも一部の表示を保持させることができる表示装置に適用できる。なお、以下、かかる表示素子をホールド型表示素子と称し、かかるホールド型表示素子により画面が構成される表示装置を、ホールド型表示装置と称する。即ち、液晶表示装置はホールド型表示装置の例示にしか過ぎず、本発明は、ホールド型表示装置全体に適用可能である。
【０３５４】
さらに、本発明は、ホールド型表示装置のみならず、例えば、発光素子として有機ＥＬ(Electro Luminescent)デバイスを用いた平面自発光型の表示装置等にも適用可能である。即ち、本発明は、画像が複数の画素から構成され、その画素を表示する表示素子を含む表示装置全体に適用可能である。なお、かかる表示装置を、画素型表示装置と称する。ここで、画素型表示装置において、１つの画素に１つの表示素子が必ずしも対応付けられている必要は特に無い。
【０３５５】
換言すると、本発明適用された情報処理装置により表示が制御される表示装置は、上述した一連の処理を実行可能とする表示装置であれば足りる。
【図面の簡単な説明】
【０３５６】
【図１】本発明が適用された情報処理装置の一実施形態としての撮像装置の構成例を示すブロック図である。
【図２】図１の例の撮像装置の外観の構成例を示す斜視図である。
【図３】画像確認操作の第１の実施例を説明する図である。
【図４】画像確認操作の第１の実施例を説明する図である。
【図５】画像確認操作の第１の実施例を説明する図である。
【図６】画像確認操作の第１の実施例を説明する図である。
【図７】画像確認操作の第１の実施例を説明する図である。
【図８】画像確認操作の第１の実施例を説明する図である。
【図９】第１画像確認処理の一例を説明するフローチャートである。
【図１０】画像確認操作の第２の実施例を説明する図である。
【図１１】画像確認操作の第２の実施例を説明する図である。
【図１２】第２画像確認処理の一例を説明するフローチャートである。
【図１３】画像確認操作の第３の実施例を説明する図である。
【図１４】画像確認操作の第３の実施例を説明する図である。
【図１５】第３画像確認処理の一例を説明するフローチャートである。
【図１６】画像確認操作の第４の実施例を説明する図である。
【図１７】画像確認操作の第４の実施例を説明する図である。
【図１８】第４画像確認処理の一例を説明するフローチャートである。
【図１９】画像確認操作の第５の実施例を説明する図である。
【図２０】画像確認操作の第６の実施例を説明する図である。
【図２１】画像確認操作の第７の実施例を説明する図である。
【図２２】第５画像確認処理の一例を説明するフローチャートである。
【図２３】第６画像確認処理の一例を説明するフローチャートである。
【図２４】第７画像確認処理の一例を説明するフローチャートである。
【図２５】画像確認操作の実施例を説明する図である。
【図２６】画像確認／選択操作の第１の実施例を説明する図である。
【図２７】第１A画像確認／選択処理の一例を説明するフローチャートである。
【図２８】第１B画像確認／選択処理の一例を説明するフローチャートである。
【図２９】第１B画像確認／選択処理の一例を説明するフローチャートである。
【図３０】画像確認／選択操作の第２の実施例を説明する図である。
【図３１】画像確認／選択操作の第２の実施例を説明する図である。
【図３２】第２B画像確認／選択処理の一例を説明するフローチャートである。
【図３３】第２B画像確認／選択処理の一例を説明するフローチャートである。
【図３４】画像確認／選択操作の第２の実施例を実現するための画像確認操作画面の初期表示状態の例を説明する図である。
【図３５】画像確認／選択操作の第２の実施例を実現するための画像確認操作画面の初期表示状態の例を説明する図である。
【図３６】画像削除操作の実施例を説明する図である。
【図３７】画像削除処理の一例を説明するフローチャートである。
【図３８】画像登録操作の実施例を説明する図である。
【図３９】画像登録処理の一例を説明するフローチャートである。
【図４０】スライド方向による各種操作を説明する図である。
【図４１】スライド方向による各種操作を説明する図である。
【図４２】本発明が適用される情報処理装置の構成例であって、図１とは異なる構成例を示すブロック図である。
【符号の説明】
【０３５７】
１１  レンズ部，  １２  撮像素子,  １３  アナログ信号処理部，  １４  A/D変換部，  １５  デジタル信号処理部，  １６  タッチパネル，  １７  液晶パネル，  １８  タッチスクリーン，  １９  記録デバイス，  ２０  アクチュエータ，  ２１  モータドライブ，  ２２  TG，  ２３  CPU，  ２４  操作部，  ２５  EEPROM，  ２６  プログラムROM，  ２７  RAM，  ２８  タッチパネル，  ４１  ズームレバー，  ４２  シャッタボタン，  ４３  再生ボタン，  ４４  パワーボタン，  ４５  撮像レンズ，  ４６  AFイルミネータ，  ４７  レンズカバー，１０１  CPU，  １０２  ROM，  １０３  RAM，  １０８  記憶部，  １１１  リムーバブルメディア
【図１】
2010055454.tif 000003
【図２】
2010055454.tif 000004
【図３】
2010055454.tif 000005
【図４】
2010055454.tif 000006
【図５】
2010055454.tif 000007
【図６】
2010055454.tif 000008
【図７】
2010055454.tif 000009
【図８】
2010055454.tif 000010
【図９】
2010055454.tif 000011
【図１０】
2010055454.tif 000012
【図１１】
2010055454.tif 000013
【図１２】
2010055454.tif 000014
【図１３】
2010055454.tif 000015
【図１４】
2010055454.tif 000016
【図１５】
2010055454.tif 000017
【図１６】
2010055454.tif 000018
【図１７】
2010055454.tif 000019
【図１８】
2010055454.tif 000020
【図１９】
2010055454.tif 000021
【図２０】
2010055454.tif 000022
【図２１】
2010055454.tif 000023
【図２２】
2010055454.tif 000024
【図２３】
2010055454.tif 000025
【図２４】
2010055454.tif 000026
【図２５】
2010055454.tif 000027
【図２６】
2010055454.tif 000028
【図２７】
2010055454.tif 000029
【図２８】
2010055454.tif 000030
【図２９】
2010055454.tif 000031
【図３０】
2010055454.tif 000032
【図３１】
2010055454.tif 000033
【図３２】
2010055454.tif 000034
【図３３】
2010055454.tif 000035
【図３４】
2010055454.tif 000036
【図３５】
2010055454.tif 000037
【図３６】
2010055454.tif 000038
【図３７】
2010055454.tif 000039
【図３８】
2010055454.tif 000040
【図３９】
2010055454.tif 000041
【図４０】
2010055454.tif 000042
【図４１】
2010055454.tif 000043
【図４２】
2010055454.tif 000044